(57)【要約】【課題】線材等を用いた不正解錠に対する防御性能に優れた遊技機を提供する。【解決手段】スロットマシン１０は、筐体１１と、該筐体１１の前部にて開閉可能に支持された前面扉１２とを備えている。前面扉１２は、その裏側に設けられた施錠装置と、筐体１１側に設けられた受け金具とによって開放不能な施錠状態とされる。施錠状態においては、施錠装置の主鉤部材及び副鉤部材と、受け金具の鉤受部とが係合状態となると共に、副鉤部材により主鉤部材の解錠方向への変位が規制された状態となる。一方、鍵によりシリンダ錠７００を操作した場合には、第１摺動杆から作用を受け、副鉤部材が規制解除状態に変化して、主鉤部材が解錠方向へ変位可能となる。結果として、前面扉１２の開放が許容される。【選択図】      図１
2018064788.tif 000002
【特許請求の範囲】
【請求項１】
支持部材に対し開閉可能に支持された扉体と、
前記支持部材又は前記扉体のいずれか一方に取付けられ、前記支持部材に対し前記扉体を施錠する施錠装置とを備えた遊技機であって、
前記施錠装置は、
鍵により操作される錠部材と、
前記錠部材の動作に連動して摺動可能に設けられた摺動部材と、
前記支持部材又は前記扉体の他方側に設けられた被係合部に対し係合されて前記扉体の開放を規制する係合位置と、前記被係合部から離脱して前記扉体の開放を許容する非係合位置とに変位可能に設けられた第１鉤部材と、
前記被係合部に対し係合されて前記扉体の開放を規制する係合位置と、前記被係合部から離脱して前記扉体の開放を許容する非係合位置とに変位可能に設けられた第２鉤部材とを備えたことを特徴とする遊技機。
【請求項２】
前記第１鉤部材を前記係合位置側へ付勢可能な第１付勢手段と、
前記第２鉤部材を前記係合位置側へ付勢可能な第２付勢手段とを備え、
前記第１鉤部材と前記第２鉤部材とが個別に変位可能に設けられていることを特徴とする請求項１に記載の遊技機。
【請求項３】
前記第２鉤部材は、前記被係合部に対し係合された場合において、前記第１鉤部材の変位を規制可能な規制状態となることを特徴とする請求項１又は２に記載の遊技機。
【発明の詳細な説明】
【技術分野】
【０００１】
本発明は、スロットマシン等の遊技機に関するものである。
【背景技術】
【０００２】
遊技機の一種として例えばスロットマシンがある。一般に、スロットマシンは、前面が開放された箱状の筐体と、該筐体の前面側に開閉可能に枢支された前扉とを備え、この内部に、図柄の付された複数のリールよりなる可変表示装置や、遊技制御を行う制御装置、メダルを払い出すホッパ装置などが収容されている。
【０００３】
一般にスロットマシン等の遊技機では、メンテナンス等の観点から前扉が筐体に対し開閉可能に設けられている。そのため、店員以外の者が無断で前扉を開放できないように、遊技機には施錠装置が設けられている。
【０００４】
かかる施錠装置としては、専用の鍵を用いて操作されるシリンダ錠と、筐体に設けられた被係合部に対し係脱可能に設けられた鉤部材と、鍵によるシリンダ錠の解錠操作に応じて鉤部材を動作させる摺動杆とを備えたものが知られている（例えば特許文献１参照）。
【０００５】
そして、施錠状態では鉤部材が被係合部に係合することで前扉が筐体に対し開放不能となる。一方、専用の鍵でシリンダ錠を解錠操作することにより摺動杆を介して鉤部材が被係合部から離脱し、前扉が開放可能となる。
【先行技術文献】
【特許文献】
【０００６】
【特許文献１】特開２０００−２８８２１４号公報
【発明の概要】
【発明が解決しようとする課題】
【０００７】
しかしながら、近年、遊技ホールでは、前扉を不正に解錠し、筐体内側に設けられた制御機器を不正に操作したり交換する等して、多くの遊技媒体を獲得する不正行為が行われることもある。
【０００８】
このような不正解錠は、例えば前扉と筐体との隙間から針金等の線材を差込み、該線材を施錠装置の鉤部材に引っ掛けて解錠方向に動かすといった具合に行われる。
【０００９】
尚、かかる課題は、スロットマシン等の回胴遊技機に限らず、パチンコ機など施錠機構を備えた他の遊技機にも該当する問題である。
【００１０】
本発明は、上記例示した問題点などを解決するためになされたものであり、その目的は、不正解錠に対する防御性能に優れた遊技機を提供することにある。
【課題を解決するための手段】
【００１１】
上記の目的を達成するため、本発明に係る遊技機は、
支持部材に対し開閉可能に支持された扉体と、
前記支持部材又は前記扉体のいずれか一方に取付けられ、前記支持部材に対し前記扉体を施錠する施錠装置とを備えた遊技機であって、
前記施錠装置は、
鍵により操作される錠部材と、
前記錠部材の動作に連動して摺動可能に設けられた摺動部材と、
前記支持部材又は前記扉体の他方側に設けられた被係合部に対し係合されて前記扉体の開放を規制する係合位置と、前記被係合部から離脱して前記扉体の開放を許容する非係合位置とに変位可能に設けられた第１鉤部材と、
前記被係合部に対し係合されて前記扉体の開放を規制する係合位置と、前記被係合部から離脱して前記扉体の開放を許容する非係合位置とに変位可能に設けられた第２鉤部材とを備えたことをその要旨としている。
【発明の効果】
【００１２】
本発明の遊技機によれば、不正解錠に対する防御性能を向上させるという優れた効果を奏する。
【図面の簡単な説明】
【００１３】
【図１】一実施形態におけるスロットマシンの正面図である。
【図２】前面扉を閉じた状態を示すスロットマシンの斜視図である。
【図３】前面扉を開いた状態を示すスロットマシンの斜視図である。
【図４】前面扉を開いた状態を示すスロットマシンの正面図である。
【図５】各リールを構成する帯状ベルトの展開図である。
【図６】スロットマシンのブロック回路図である。
【図７】施錠装置及び受け金具を右後方から見た斜視図である。
【図８】施錠装置及び受け金具を左前方から見た斜視図である。
【図９】施錠装置を右後方から見た分解斜視図である。
【図１０】施錠装置を左前方から見た分解斜視図である。
【図１１】施錠装置の背面図である。
【図１２】施錠装置の右側面図である。
【図１３】施錠装置の正面図である。
【図１４】施錠装置の左側面図である。
【図１５】受け金具の左側面図である。
【図１６】受け金具の正面図である。
【図１７】受け金具の右側面図である。
【図１８】受け金具の背面図である。
【図１９】施錠状態にある施錠装置及び受け金具を示す右側面図である。
【図２０】施錠状態にある施錠装置及び受け金具を示す左側面図である。
【図２１】施錠状態にある施錠装置及び受け金具を示す背面図である。
【図２２】鍵の非挿入時におけるシリンダ錠を示す断面図である。
【図２３】鍵の挿入時におけるシリンダ錠を示す断面図である。
【図２４】（ａ）は、施錠状態（ロック状態）における主鉤部材、副鉤部材及び第１摺動杆等の状態を示す部分拡大断面図であり、（ｂ）は、ロック解除状態における主鉤部材、副鉤部材及び第１摺動杆等の状態を示す部分拡大断面図であり、（ｃ）は、解錠状態における主鉤部材、副鉤部材及び第１摺動杆等の状態を示す部分拡大断面図である。
【図２５】主鉤部材に対し不正解錠操作が行われた場合における主鉤部材、副鉤部材及び第１摺動杆等の状態を示す部分拡大断面図である。
【図２６】別の実施形態における主鉤部材、副鉤部材及び第１摺動杆等の構成を示す部分拡大断面図である。
【発明を実施するための形態】
【００１４】
〔第１実施形態〕
以下、遊技機の一種である回胴式遊技機、具体的にはスロットマシンに適用した場合の一実施形態を図面に基づいて詳細に説明する。図１はスロットマシン１０の正面図、図２は前面扉１２を閉じた状態のスロットマシン１０の斜視図、図３は前面扉１２を開いた状態のスロットマシン１０の斜視図、図４は前面扉１２を開いた状態のスロットマシン１０の正面図である。
【００１５】
図１〜図４に示すように、スロットマシン１０は、その外殻を形成する支持部材（固定枠）としての筺体１１を備えている。筐体１１は、木製板状に形成された天板１１ａ、底板１１ｂ、背板１１ｃ、左側板１１ｄ及び右側板１１ｅからなり、隣接する各板１１ａ〜１１ｅが接着等の固定手段によって固定されることにより、全体として前面を開放した箱状に形成されている。尚、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。以上のように構成された筺体１１は、遊技ホールへの設置の際にいわゆる島設備に対し釘を打ち付ける等して取り付けられる。
【００１６】
筺体１１の前面側には、扉体としての前面扉１２が設けられている。前面扉１２は、筺体１１の左側板１１ｄに設けられた上下一対のヒンジ機構２５ａ、２５ｂにより開閉可能に取り付けられている。これにより、前面扉１２は筺体１１に対してヒンジ機構２５ａ、２５ｂを結ぶ上下方向へ延びる開閉軸線を中心として回動可能に支持され、その回動によって筺体１１の前面開放側を開放したり閉鎖することができるように構成されている。
【００１７】
また、前面扉１２は、その裏側に設けられた施錠装置６００と、筐体１１側に設けられた受け部材としての受け金具８００とによって開放不能な状態とされる。これら施錠装置６００と受け金具８００とからなる施錠機構の詳細は後述する。
【００１８】
前面扉１２の中央部上寄りには、遊技者に遊技状態を報知する遊技パネル３０が設けられている。遊技パネル３０には、縦長の３つの表示窓３１Ｌ，３１Ｍ，３１Ｒが横並びとなるように形成されている。表示窓３１Ｌ，３１Ｍ，３１Ｒは透明又は半透明な材質により構成されており、各表示窓３１Ｌ，３１Ｍ，３１Ｒを通じてスロットマシン１０の内部が視認可能な状態となっている。尚、各表示窓３１Ｌ，３１Ｍ，３１Ｒを１つにまとめて共通の表示窓としてもよい。
【００１９】
図３，４に示すように、筺体１１は仕切り板４０によりその内部が上下２分割されており、仕切り板４０の上部には、可変表示手段を構成するリールユニット４１が収容されている。
【００２０】
リールユニット４１は、円筒状（円環状）にそれぞれ形成された回転体としての左リール４２Ｌ，中リール４２Ｍ，右リール４２Ｒを備えている。各リール４２Ｌ，４２Ｍ，４２Ｒは、その中心軸線が該リールの回転軸線となるように回転可能に支持されている。各リール４２Ｌ，４２Ｍ，４２Ｒの回転軸線は略水平方向に延びる同一軸線上に配設され、それぞれのリール４２Ｌ，４２Ｍ，４２Ｒが各表示窓３１Ｌ，３１Ｍ，３１Ｒと１対１で対応している。従って、各リール４２Ｌ，４２Ｍ，４２Ｒの表面の一部はそれぞれ対応する表示窓３１Ｌ，３１Ｍ，３１Ｒを通じて視認可能な状態となっている。各リール４２Ｌ，４２Ｍ，４２Ｒの外周面には帯状のベルトが巻かれており、このベルトの外周面には、識別情報としての図柄が等間隔ごとに多数印刷されている。そして、リール４２Ｌ，４２Ｍ，４２Ｒが正回転すると、各表示窓３１Ｌ，３１Ｍ，３１Ｒを通じてリール４２Ｌ，４２Ｍ，４２Ｒの表面は上から下へ向かって移動しているかのように映しだされる。
【００２１】
尚、これら各リール４２Ｌ，４２Ｍ，４２Ｒは、それぞれが駆動手段としてのステッピングモータ６１Ｌ，６１Ｍ，６１Ｒ（図６参照）に連結されており、各ステッピングモータ６１Ｌ，６１Ｍ，６１Ｒの駆動により各リール４２Ｌ，４２Ｍ，４２Ｒが個別に、即ちそれぞれ独立して回転駆動し得る構成となっている。そして、各ステッピングモータ６１Ｌ，６１Ｍ，６１Ｒの駆動軸が回転することによりその駆動軸を中心として各リール４２Ｌ，４２Ｍ，４２Ｒが自転するように回転する。
【００２２】
また、リールユニット４１には、リールインデックスセンサ５５Ｌ，５５Ｍ，５５Ｒ（図６参照）が設置されている。本実施形態では、各リールインデックスセンサ５５Ｌ，５５Ｍ，５５Ｒとして、発光素子と受光素子とが所定間隔をおいて保持された透過型フォトセンサが採用されている。そして、各リールインデックスセンサ５５Ｌ，５５Ｍ，５５Ｒは、各リール４２Ｌ，４２Ｍ，４２Ｒがほぼ１周するごとに図示しないセンサカットバンが両素子間を通過するのを検出し、その都度、後述する主制御装置１３１に対し検出信号を出力する。主制御装置１３１は、この検出信号に基づいて各リール４２Ｌ，４２Ｍ，４２Ｒの回転位置をほぼ１周するごとに確認し補正できる。
【００２３】
例えば、本実施形態では、ステッピングモータ６１Ｌ，６１Ｍ，６１Ｒは５０４パルスの駆動信号（励磁信号あるいは励磁パルスとも言う。以下同じ）を与えることにより１回転されるように設定されている。つまり、７パルスの駆動信号で各リール４２Ｌ，４２Ｍ，４２Ｒが５°角度変化するというように、駆動信号の数に応じた回転量で各リール４２Ｌ，４２Ｍ，４２Ｒを回転させるように構成されている。さらに、この駆動信号によってステッピングモータ６１Ｌ，６１Ｍ，６１Ｒの回転位置、すなわち各リール４２Ｌ，４２Ｍ，４２Ｒの回転位置が制御される。
【００２４】
上述した各リール４２Ｌ，４２Ｍ，４２Ｒの各ベルト上には、その長辺方向（周回方向）に複数個、具体的には２１個の図柄が描かれている。従って、所定の位置においてある図柄から次の図柄へ切り替えるには２４パルス（＝５０４パルス÷２１図柄）を要する。そして、各リール４２Ｌ，４２Ｍ，４２Ｒの回転位置が検出された時点からのパルス数により、どの図柄が各表示窓３１Ｌ，３１Ｍ，３１Ｒから視認可能な状態となっているかを認識したり、任意の図柄を各表示窓３１Ｌ，３１Ｍ，３１Ｒから視認可能な状態としたりする制御を行うことができる。
【００２５】
各リール４２Ｌ，４２Ｍ，４２Ｒに付された図柄のうち、表示窓３１Ｌ，３１Ｍ，３１Ｒを介して全体を視認可能な図柄数は、主として表示窓３１Ｌ，３１Ｍ，３１Ｒの上下方向の長さによって決定される所定数に限られている。本実施形態では各リール３個ずつとされている。このため、各リール４２Ｌ，４２Ｍ，４２Ｒがすべて停止している状態では、３×３＝９個の図柄が遊技者に視認可能な状態となる。
【００２６】
ここで、各リール４２Ｌ，４２Ｍ，４２Ｒに付される図柄について説明する。図５には、左リール４２Ｌ，中リール４２Ｍ，右リール４２Ｒのそれぞれに巻かれるベルトに描かれた図柄配列が示されている。同図に示すように、各リール４２Ｌ，４２Ｍ，４２Ｒにはそれぞれ２１個の図柄が一列に設けられている。各リール４２Ｌ，４２Ｍ，４２Ｒに対応して番号が１〜２１まで付されているが、これは説明の便宜上付したものであり、リール４２Ｌ，４２Ｍ，４２Ｒに実際に付されているわけではない。但し、以下の説明では該番号を使用して説明する。
【００２７】
図柄としては、ビッグボーナスゲームに移行するための第１特別図柄としての「赤７」図柄（例えば、左ベルト第２０番目）と「白７」図柄（例えば、左ベルト第１９番目）とがある。また、レギュラーボーナスゲームに移行するための第２特別図柄としての「ＢＡＲ」図柄（例えば、左ベルト第１４番目）がある。また、リプレイゲームに移行するための第３特別図柄としての「リプレイ」図柄（例えば、左ベルト第１１番目）がある。また、小役の払出が行われる小役図柄としての「スイカ」図柄（例えば、左ベルト第９番目）、「ベル」図柄（例えば、左ベルト第８番目）、「チェリー」図柄（例えば、左ベルト第４番目）がある。そして、図５に示すように、各リール４２Ｌ，４２Ｍ，４２Ｒに巻かれるベルトにおいて、各種図柄の数や配置順序は全く異なっている。
【００２８】
遊技パネル３０には、各表示窓３１Ｌ，３１Ｍ，３１Ｒを結ぶようにして、横方向へ平行に３本、斜め方向へたすき掛けに２本、計５本の組合せラインが付されている。勿論、最大組合せライン数を６以上としてもよく、５未満としてもよく、所定条件に応じて最大組合せライン数を変更するようにしてもよい。これら各組合せラインに対応して、表示窓３１Ｌ，３１Ｍ，３１Ｒ群の正面から見て左側には有効ライン表示部３２，３３，３４が設けられている。第１有効ライン表示部３２は組合せラインのうち中央の横ライン（中央ライン）が有効化された場合に点灯等によって表示報知される。第２有効ライン表示部３３は組合せラインのうち上下の横ライン（上ライン及び下ライン）が有効化された場合に点灯等によって表示報知される。第３有効ライン表示部３４は組合せラインのうち一対の斜めライン（右下がりライン及び右上がりライン）が有効化された場合に点灯等によって表示報知される。そして、有効化された組合せライン、すなわち有効ライン上に図柄が所定の組合せで停止した場合に入賞となり、予め定められたメダル払出処理や特定遊技への移行処理などが実行される。
【００２９】
ここで、入賞となった場合の各図柄に関する払出枚数について説明する。小役図柄に関し、「スイカ」図柄が有効ライン上に左・中・右と揃った場合には１５枚のメダル払出、「ベル」図柄が有効ライン上に左・中・右と揃った場合には８枚のメダル払出、左リール４２Ｌの「チェリー」図柄が有効ライン上に停止した場合には２枚のメダル払出が行われる。即ち、中リール４２Ｍ及び右リール４２Ｒの「チェリー」図柄はメダル払出と無関係である。また、「チェリー」図柄に限っては、他の図柄との組合せとは無関係にメダル払出が行われるため、左リール４２Ｌの複数の有効ラインが重なる位置（具体的には上段又は下段）に「チェリー」図柄が停止した場合には、その重なった有効ラインの数を乗算した分だけのメダル払出が行われることとなり、結果として本実施の形態では４枚のメダル払出が行われる。
【００３０】
また、その他の図柄に関しては、第１特別図柄（ビッグボーナス図柄）の組合せである「赤７」図柄又は「白７」図柄が同一図柄にて有効ライン上に左・中・右と揃った場合には１５枚のメダル払出、第２特別図柄（レギュラーボーナス図柄）の組合せである「ＢＡＲ」図柄が有効ライン上に左・中・右と揃った場合にも１５枚のメダル払出が行われる。尚、本実施形態においては、例えば「赤７」図柄と「チェリー」図柄とが同時に成立する場合が生じ得るが、かかる場合におけるメダル払出は１５枚である。これは、１回のメダル払出における上限枚数が１５枚に設定されているためである。
【００３１】
更に、第３特別図柄の組合せである「リプレイ」図柄が有効ライン上に左・中・右と揃った場合にはメダル払出は行われない。その他の場合、即ち有効ライン上に左リール４２Ｌの「チェリー」図柄が停止せず、また有効ライン上に左・中・右と同一図柄が揃わない場合には、一切メダル払出は行われない。
【００３２】
ここで本実施形態におけるボーナスゲームについて説明する。レギュラーボーナス（以下「ＲＢ」という）ゲームは、１２回のＪＡＣゲームで構成さえている。ＪＡＣゲームは、１枚ベットのみ許されるゲームであり、ＪＡＣ図柄（ここではリプレイ図柄で代用）が有効ライン上に揃う確率つまりＪＡＣ図柄成立の確立が非常に高いゲームである。ＪＡＣゲームでＪＡＣ図柄が成立すると最大枚数（ここでは１５枚）のメダルが払い出される。そして、ＪＡＣ図柄が８回成立すると、ＪＡＣゲームが１２回に達する前であってもＲＢゲームが終了する。一方、ビッグボーナス（以下「ＢＢ」という）ゲームは、３０回の小役ゲームと３回のＪＡＣインとから構成されている。小役ゲームとは高確率で小役が当選する（有効ライン上に「ベル」図柄などが揃う）ゲームであり、ＪＡＣインとは１２回のＪＡＣゲームに突入することを意味し、小役ゲーム中にＪＡＣ図柄が有効ライン上に揃うとＪＡＣインが成立する。ＪＡＣゲームはＲＢゲームの場合と同様である。また、３回目のＪＡＣインによるＪＡＣゲームが終了すると小役ゲームが３０回に達する前であってもＢＢゲームは終了し、３０回の小役ゲームが終了するとＪＡＣインが３回に達する前であってもＢＢゲームは終了する。ボーナスゲームの形態は上記形態に限定されるものではなく、異なる形態であってもよい。
【００３３】
さて、遊技パネル３０の下方左側には、各リール４２Ｌ，４２Ｍ，４２Ｒを一斉（同時である必要はない）に回転開始させるために操作されるスタートレバー７１が設けられている。スタートレバー７１はリール４２Ｌ，４２Ｍ，４２Ｒを回転開始、すなわち可変表示を開始させるべく操作される始動操作手段を構成する。スタートレバー７１は、遊技者がゲームを開始するときに手で押し操作するレバーであり、手が離れたあと元の位置に自動復帰する。メダルが投入されているときにこのスタートレバー７１が操作されると、各リール４２Ｌ，４２Ｍ，４２Ｒが一斉に回転を始める。
【００３４】
スタートレバー７１の右側には、回転している各リール４２Ｌ，４２Ｍ，４２Ｒを個別に停止させるために操作されるボタン状のストップスイッチ７２，７３，７４が設けられている。各ストップスイッチ７２，７３，７４は停止対象となるリール４２Ｌ，４２Ｍ，４２Ｒに対応する表示窓３１Ｌ，３１Ｍ，３１Ｒの略直下にそれぞれ配置されている。ストップスイッチ７２，７３，７４はリール４２Ｌ，４２Ｍ，４２Ｒの回転に基づく可変表示を停止させるべく操作される停止操作手段を構成する。各ストップスイッチ７２，７３，７４は、左リール４２Ｌが回転を開始してから所定時間が経過すると停止させることが可能な状態となり、かかる状態中には図示しないランプが点灯表示されることによって停止操作が可能であることが報知され、回転が停止すると消灯されるようになっている。
【００３５】
表示窓３１Ｌ，３１Ｍ，３１Ｒの下方右側には、メダルを投入するためのメダル投入口７５が設けられている。メダル投入口７５から投入されたメダルは、前面扉１２の背面に設けられた通路切替手段としてのセレクタ８４によって貯留用通路８１か排出用通路８２のいずれかへ導かれる。すなわち、セレクタ８４にはメダル通路切替ソレノイド８３（図６参照）が設けられ、そのメダル通路切替ソレノイド８３の非励磁時には排出用通路８２側とされ、励磁時には貯留用通路８１側に切り替えられるようになっている。貯留用通路８１に導かれたメダルは、筺体１１の内部に収納されたホッパ装置９１へと導かれる。一方、排出用通路８２に導かれたメダルは、前面扉１２の前面下部に設けられたメダル排出口１７からメダル受け皿１８へと導かれ、遊技者に返還される。
【００３６】
メダルを遊技者に付与する払出手段としてのホッパ装置９１は、メダルを貯留する貯留タンク９２と、メダルを遊技者に払い出す払出装置９３とにより構成されている。払出装置９３は、図示しないメダル払出用回転板を回転させることにより、排出用通路８２の中央右部に設けられた開口９４へメダルを排出し、排出用通路８２を介してメダル受け皿１８へメダルを払い出すようになっている。また、ホッパ装置９１の右方には、貯留タンク９２内に所定量以上のメダルが貯留されることを回避するための予備タンク９５が設けられている。ホッパ装置９１の貯留タンク９２内部には、この貯留タンク９２から予備タンク９５へとメダルを排出する誘導プレート９６が設けられている。したがって、誘導プレート９６が設けられた高さ以上にメダルが貯留された場合、かかるメダルが予備タンク９５に貯留されることとなる。
【００３７】
メダル投入口７５の下方には、ボタン状の返却スイッチ７６が設けられている。返却スイッチ７６は、メダル投入口７５に投入されたメダルがセレクタ８４内に詰まった際に押されるスイッチであり、このスイッチが押されることによりセレクタ８４が機械的に連動して動作され、該セレクタ８４内に詰まったメダルがメダル排出口１７より返却されるようになっている。
【００３８】
表示窓３１Ｌ，３１Ｍ，３１Ｒの下方左側には、クレジットされた仮想メダルを一度に３枚投入するためのボタン状の第１クレジット投入スイッチ７７が設けられている。また、第１クレジット投入スイッチ７７の左方には該スイッチ７７よりも小さなボタン状のスイッチとして、第２クレジット投入スイッチ７８が設けられている。第２クレジット投入スイッチ７８はクレジットされた仮想メダルを一度に１枚投入するためのものである。
【００３９】
尚、第１クレジット投入スイッチ７７は、１ゲームにつき投入できるメダル最大数（３枚）に達していないことを促すため、図示しない発光部材としてのランプが内蔵されている。該ランプは、第１クレジット投入スイッチ７７のスイッチ操作が有効である状況時において点灯されて該スイッチ７７の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００４０】
スタートレバー７１の左側には、ボタン状の切換スイッチ８０が設けられている。切換スイッチ８０は、１度押されるとオン状態になり、もう１度押されるとオフ状態になり、その後押下操作が行われるごとにオンオフが切り替わるトグル式に構成されている。切換スイッチ８０は、メダル投入口７５に必要量より多く投入された投入メダルや、所定の遊技の結果、遊技者に返還される獲得メダルの取扱形式を変更するために操作される。
【００４１】
切換スイッチ８０がオン状態のときには、所定の最大値（例えばメダル５０枚分）となるまでの余剰の投入メダルや入賞時の獲得メダルがクレジットメダルとして貯留記憶されるように設定された「クレジットモード」となる。切換スイッチ８０がオフ状態のときには、余剰の投入メダルや入賞時の獲得メダルを現実のメダルとして払い出すように設定された「ダイレクトモード」となる。尚、クレジットモードからダイレクトモードに切り換えられた際にクレジットメダルがある場合には、その分のクレジットメダルが現実のメダルとして払い出される。このように、遊技者はクレジットモードとダイレクトモードとを切り換えることにより自身の好みに応じた形式で遊技を実行することができる。かかる切換スイッチ８０は取扱形式を切り換える切換操作手段を構成する。また、クレジットされた仮想メダルを現実のメダルとして払い出すという機能に着目すれば、切換スイッチ８０は貯留記憶された遊技価値を実際に払い出すための精算操作手段を構成するものともいえる。尚、切換スイッチ８０の操作により「クレジットモード」と「ダイレクトモード」とを切り換えるように構成する他、常に「クレジットモード」としておき切換スイッチ８０が操作されると貯留記憶された仮想メダルを払い出すだけの精算スイッチとして機能させてもよい。
【００４２】
遊技パネル３０の表示窓３１Ｌ，３１Ｍ，３１Ｒ下方には、クレジットモード時に有効化されて貯留記憶されたメダル数を表示する残数表示部３５と、ビッグボーナスやレギュラーボーナス等の特別遊技状態の際に例えば残りのゲーム数等を表示するゲーム数表示部３６と、獲得メダルの枚数を表示する獲得枚数表示部３７とがそれぞれ設けられている。これら表示部３５〜３７は７セグメント表示器によって構成されているが、液晶表示器等によって代替することは当然可能である。
【００４３】
ここで、メダルがベットされる手順について説明する。ダイレクトモード、クレジットモードのいずれのモードにおいても、遊技の開始時にメダル投入口７５からメダルが投入されるとベットとなる。
【００４４】
すなわち、１枚目のメダルがメダル投入口７５に投入されると、第１有効ライン表示部３２が点灯し、そしてこれに対応する中央ラインが有効ラインとなり、２枚目のメダルがメダル投入口７５に投入されると、更に第２有効ライン表示部３３が点灯すると共に、これに対応する上ライン及び下ラインを含む合計３本の組合せラインがそれぞれ有効ラインとなり、３枚目のメダルがメダル投入口７５に投入されると、更に第３有効ライン表示部３４が点灯し、そしてこれに対応する一対の斜めラインを含む合計５本の組合せライン全てが有効ラインとなる。
【００４５】
また、４枚以上のメダルがメダル投入口７５に投入されると、３枚を超える余剰メダルは、そのときのモードがダイレクトモードであればセレクタ８４により排出用通路８２への切替がなされてメダル排出口１７からメダル受け皿１８へ返却される。一方、クレジットモードであればスロットマシン内部に貯蓄されると共に残数表示部３５に貯蓄枚数が表示される。この貯留枚数には上限枚数が決められており（例えば５０枚）、それを超える枚数のメダルが投入されたときにはメダル排出口１７からメダル受け皿１８へ返却される。
【００４６】
また、クレジットモードにて遊技が行われ且つ残数表示部３５に貯留枚数が表示されている場合には、第１，２クレジット投入スイッチ７７，７８のいずれかが押された際にも仮想メダルが投入されたこととなりベットとなる。
【００４７】
例えば、第２クレジット投入スイッチ７８が押された際には、仮想メダルが１枚投入されたこととして残数表示部３５に表示されている数値が１つディクリメントされ、第１有効ライン表示部３２が点灯して中央ラインが有効ラインとなる。また、第１クレジット投入スイッチ７７が押された際には、仮想メダルが３枚投入されたこととして残数表示部３５に表示されている数値が３つディクリメントされ、全ての有効ライン表示部３２〜３４が点灯して合計５本の組合せラインが有効ラインとなる。
【００４８】
尚、第１，２クレジット投入スイッチ７７，７８のいずれかが押された際に投入されるべき仮想メダルが貯留されていない場合、例えば残数表示部３５の表示が２のときに第１クレジット投入スイッチ７７が押された場合等には、残数表示部３５の数値が全てディクリメントされて０となり、投入可能な仮想メダル分だけベットされる。
【００４９】
前面扉１２の上部には、遊技の進行に伴い点灯したり点滅したりする上部ランプ１３と、遊技の進行に伴い種々の効果音を鳴らしたり、遊技者に遊技状態を報知したりする左右一対のスピーカ１４Ａと、遊技者に各種情報を与える第１補助表示部１５とが設けられている。また、前面扉１２には、遊技パネル３０（表示窓３１Ｌ，３１Ｍ，３１Ｒの周囲）を通して視認可能となる矩形枠状の第２補助表示部２０が設けられている。
【００５０】
尚、補助表示部１５，２０は、本実施形態では表示内容の多様化及び表示演出の重厚化を意図して液晶表示器によって構成されているが、ドットマトリックス表示器等の他の表示器を使用してもよい。補助表示部１５，２０は、遊技に進行に伴って各種表示演出を実行するためのものであり、各リール４２Ｌ，４２Ｍ，４２Ｒによる遊技を主表示部によるものと考えることができることから、本実施形態では補助表示部１５，２０と称している。第１補助表示部１５の背面には、上部ランプ１３やスピーカ１４Ａ、第１補助表示部１５、第２補助表示部２０を駆動させるための表示制御装置１１１が設けられている。
【００５１】
さらに、本実施形態では、前面扉１２の背面上側において、上部ランプ１３、スピーカ１４Ａ、第１補助表示部１５、第２補助表示部２０、表示制御装置１１１などが配置された範囲（表示窓３１Ｌ，３１Ｍ，３１Ｒの範囲を除く）を背面側より覆う矩形枠状の保護カバー２１が設けられている。保護カバー２１は、前面扉１２に対し開閉可能に取り付けられている。より詳しくは、保護カバー２１は、前面扉１２の回動軸側（ヒンジ機構２５ａ、２５ｂ近傍）において、上下方向を開閉軸線として回動可能に軸支されている。但し、図３，４においては、前面扉１２の背面側の構成（表示制御装置１１１など）を見やすくするため、保護カバー２１を破線により簡素化して図示している。
【００５２】
メダル受け皿１８の上方には、機種名や遊技に関わるキャラクタなどが表示された下段プレート１６が装着されている。また、メダル受け皿１８の左方には、手前側下方に反転可能な灰皿１９が設けられている。さらに、メダル受け皿１８の奥方には、上記スピーカ１４Ａと同様の左右一対のスピーカ１４Ｂが設けられている。
【００５３】
筺体１１の内部においてホッパ装置９１の左方には、電源ボックス１２１が設けられている。電源ボックス１２１は、電源スイッチ１２２や設定キー挿入孔１２４などを備えている。電源スイッチ１２２は、主制御装置１３１を始めとする各部に電源を供給するための起動スイッチである。設定キー挿入孔１２４は、ホール管理者などがメダルの出玉調整を行うためのものである。すなわち、ホール管理者等が設定キーを設定キー挿入孔１２４へ挿入して操作することにより、スロットマシン１０の設定状態（当選確率設定処理）を「設定１」から「設定６」まで変更できるようになっている。
【００５４】
リールユニット４１の上方には、主制御手段としての主制御装置１３１が筺体１１の背板１１ｃに取付けられている。主制御装置１３１は、主たる制御を司るＣＰＵ，遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。基板ボックスは、略直方体形状のボックスベースと該ボックスベースの開口部を覆うボックスカバーとを備えている。これらボックスベースとボックスカバーとは封印手段としての封印ユニットによって開封不能に連結され、これにより基板ボックスが封印されている。
【００５５】
次に、本スロットマシン１０の電気的構成について、図６のブロック図に基づいて説明する。
【００５６】
主制御装置１３１には、演算処理手段であるＣＰＵ１５１を中心とするマイクロコンピュータが搭載されている。ＣＰＵ１５１には、電源ボックス１２１の内部に設けられた電源装置１６１の他に、所定周波数の矩形波を出力するクロック回路１５４や、入出力ポート１５５などが内部バスを介して接続されている。かかる主制御装置１３１は、スロットマシン１０に内蔵されるメイン基板としての機能を果たすものである。
【００５７】
主制御装置１３１の入力側には、スタートレバー７１の操作を検出するスタート検出センサ７１ａ、各ストップスイッチ７２，７３，７４の操作を個別に検出するストップ検出センサ７２ａ，７３ａ，７４ａ、メダル投入口７５から投入されたメダルを検出する投入メダル検出センサ７５ａ、各クレジット投入スイッチ７７，７８の操作を個別に検出するクレジット投入検出センサ７７ａ，７８ａ、切換スイッチ８０の操作を検出する切換検出センサ８０ａ、各リール４２Ｌ，４２Ｍ，４２Ｒの回転位置を個別に検出するリールインデックスセンサ５５Ｌ，５５Ｍ，５５Ｒ、ホッパ装置９１から払い出されるメダルを検出する払出検出センサ９１ａ、後述するリセット操作を検出するリセット検出センサ６４０、設定キー挿入孔１２４に設定キーが挿入されたことを検出する設定キー検出センサ１２４ａ、前面扉１２の開放を検出するための開放検知スイッチ６５０等の各種センサが接続されており、これら各種センサからの信号は入出力ポート１５５を介してＣＰＵ１５１に出力されるようになっている。
【００５８】
尚、投入メダル検出センサ７５ａは実際には複数個のセンサより構成されている。即ち、メダル投入口７５からホッパ装置９１に至る貯留用通路８１は、その上流部において、メダルが１列で通行可能なように構成されている。そして、貯留用通路８１の上流部には第１センサが設けられるとともに、それよりメダルの幅以上離れた下流側に第２センサ及び第３センサが近接（少なくとも一時期において同一メダルを同時に検出する状態が生じる程度の近接）して設けられており、これら第１乃至第３の各センサによって投入メダル検出センサ７５ａが構成されている。主制御装置１３１は、第１センサから第２センサに至る時間を監視し、その経過時間が所定時間を越えた場合にはメダル詰まり又は不正があったものとみなしてエラーとする。エラーになると、エラー報知が行われるとともにエラー解除されるまでの遊技者による操作が無効化される。また、主制御装置１３１は第２センサと第３センサとがオンオフされる順序をも監視し、第２，第３センサが共にオフ、第２センサのみオン、第２，第３センサが共にオン、第３センサのみオン、第２，第３センサが共にオフという順序通りになった場合で、かつ各オンオフ切換に移行する時間が所定時間内である場合にのみメダルが正常に取り込まれたと判断し、それ以外の場合はエラーとする。このようにするのは、貯留用通路８１でのメダル詰まりの他、メダルを投入メダル検出センサ７５ａ付近で往復動させてメダル投入と誤認させる不正を防止するためである。
【００５９】
また、主制御装置１３１の入力側には、入出力ポート１５５を介して電源装置１６１に設けられた停電監視回路１６１ｂが接続されている。尚、電源装置１６１には、主制御装置１３１を始めとしてスロットマシン１０の各電子機器に駆動電力を供給する電源部１６１ａや、上述した停電監視回路１６１ｂなどが搭載されている。
【００６０】
停電監視回路１６１ｂは電源の遮断状態を監視し、停電時はもとより、電源スイッチ１２２による電源遮断時に停電信号を生成するためのものである。この例では直流１２ボルトの安定化駆動電圧を監視し、この駆動電圧が例えば１０ボルト未満まで低下したとき電圧が遮断されたものと判断して停電信号が出力されるように構成されている。停電信号はＣＰＵ１５１と入出力ポート１５５のそれぞれに供給され、ＣＰＵ１５１ではこの停電信号を認識することにより所定の停電時処理が実行される。
【００６１】
電源部１６１ａからは出力電圧が１０ボルト未満まで低下した場合でも、主制御装置１３１などの制御系における駆動電圧として使用される５ボルトの安定化電圧が出力されるように構成されており、この安定化電圧が出力されている時間としては、主制御装置１３１による停電時処理を実行するに十分な時間が確保されている。
【００６２】
主制御装置１３１の出力側には、各有効ライン表示部３２，３３，３４、残数表示部３５、ゲーム数表示部３６、獲得枚数表示部３７、各リール４２Ｌ，４２Ｍ，４２Ｒを回転させるための各ステッピングモータ６１Ｌ，６１Ｍ，６１Ｒ、セレクタ８４に設けられたメダル通路切替ソレノイド８３、ホッパ装置９１、表示制御装置１１１、遊技ホールのホール管理装置などに情報を送信できる外部集中端子板１７１等が入出力ポート１５５を介して接続されている。
【００６３】
表示制御装置１１１は、上部ランプ１３やスピーカ１４Ａ，１４Ｂ、補助表示部１５，２０を駆動させるための制御装置であり、これらを駆動させるためのＣＰＵ、ＲＯＭ、ＲＡＭ等が一体化された基板を備えている。そして、主制御装置１３１からの信号を受け取った上で、表示制御装置１１１が独自に上部ランプ１３、スピーカ１４Ａ，１４Ｂ及び補助表示部１５，２０を駆動制御する。従って、表示制御装置１１１は、遊技を統括管理するメイン基板たる主制御装置１３１との関係では補助的な制御を実行するサブ基板となっている。即ち、間接的な遊技に関する音声やランプ、表示についてはサブ基板を設けることにより、メイン基板の負担軽減を図っている。尚、各種表示部３２〜３７を表示制御装置１１１が制御する構成としてもよい。
【００６４】
上述したＣＰＵ１５１には、このＣＰＵ１５１によって実行される各種の制御プログラムや固定値データを記憶したＲＯＭ１５２と、このＲＯＭ１５２内に記憶されている制御プログラムを実行するに当たって各種のデータを一時的に記憶する作業エリアを確保するためのＲＡＭ１５３のほかに、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１５２とＲＡＭ１５３によって記憶手段としてのメインメモリが構成され、各種処理を実行するためのプログラムは、制御プログラムの一部として上述したＲＯＭ１５２に記憶されている。
【００６５】
ＲＡＭ１５３は、スロットマシン１０の電源が遮断された後においても電源ボックス１２１内に設けられた電源装置１６１からバックアップ電圧が供給されてデータを保持（バックアップ）できる構成となっており、ＲＡＭ１５３には、各種のデータ等を一時的に記憶するためのメモリやエリアの他に、バックアップエリアが設けられている。
【００６６】
バックアップエリアは、停電などの発生により電源が遮断された場合において、電源遮断時（電源スイッチ１２２の操作による電源遮断をも含む。以下同様）のスタックポインタや、各レジスタ、Ｉ／Ｏ等の値を記憶しておくためのエリアであり、停電解消時（電源スイッチ１２２の操作による電源投入をも含む。以下同様）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。尚、ＣＰＵ１５１のＮＭＩ端子（ノンマスカブル割込端子）には、停電等の発生による電源遮断時に、停電監視回路１６１ｂからの停電信号が入力されるように構成されており、停電等の発生に伴うＮＭＩ割込み処理が即座に実行される。
【００６７】
尚、電源装置１６１の電源部１６１ａは、上述したＮＭＩ割込み処理及び停電時処理を実行するのに十分な時間、制御系の駆動電圧として使用される安定化電圧（５ボルト）の出力が保持されるように構成されている。本実施形態では、３０ｍｓｅｃの間、駆動電圧が出力され続けるようになっている。
【００６８】
次に、前面扉１２の施錠機構について説明する。前面扉１２の施錠機構は、上述したように前面扉１２に取付けられた施錠装置６００と、筐体１１に取付けられた受け金具８００とにより構成される。
【００６９】
施錠装置６００は、前面扉１２の右側辺部背面側、すなわち前面扉１２の回動軸側とは反対側の側辺部に沿って取付けられている。一方、受け金具８００は、施錠装置６００に対応して、筐体１１の右側板１１ｅ内側に取付けられている。そして、筺体１１に対して前面扉１２を閉鎖した際には、施錠装置６００と受け金具８００とが係合し施錠状態となることにより、前面扉１２の開放が規制された状態となる。尚、これら施錠装置６００や受け金具８００を構成する主な部材は、金属平板をプレス成形等することにより形成されている。
【００７０】
前面扉１２の閉鎖状態においては、施錠装置６００のうち、後述するシリンダ錠７００（図１等参照）だけが前面扉１２の前面側に露出した状態となる。そして、このシリンダ錠７００の鍵穴７０２に鍵Ｋを挿入し、所定方向（本実施形態では時計回り方向）に回動操作することで、施錠装置６００と受け金具８００とが解錠状態となり、前面扉１２の開放が許容される状態となる。
【００７１】
まず施錠装置６００について図７〜図１４を参照して詳細に説明する。図７は、施錠装置６００及び受け金具８００を右後方（背面左側）から見た斜視図であり、図８は、施錠装置６００及び受け金具８００を左前方（正面左側）から見た斜視図である。また、図９は、施錠装置６００を右後方（背面左側）から見た分解斜視図であり、図１０は、施錠装置６００を左前方（正面左側）から見た分解斜視図である。図１１は、施錠装置６００の背面図であり、図１２は右側面図であり、図１３は正面図であり、図１４は左側面図である。
【００７２】
施錠装置６００の外郭を構成する縦長の基枠６０１は、前面扉１２の背面部に固定される取付部としての取付板６０２と、該取付板６０２の前面扉１２内方側（左側）の端縁から後方に突出した支持部としての支持板６０３と、取付板６０２の前面扉１２外方側（右側）の端縁から後方に突出したフランジ部６０４とを備えており、これらが一体となって横断面略コ字状をなしている。
【００７３】
取付板６０２は、シリンダ錠７００の配置位置に対応する所定の上下区間が他部位より左右方向に幅広の幅広部６０２ａとなっており、支持板６０３では、前記幅広部６０２ａに対応する上下区間が前面扉１２内方側へ膨出した膨出部６０３ａとなっている。これは、遊技パネル３０の領域や各種機器等の設置スペースをより広く確保するために、施錠装置６００全体の横幅を極力狭くしつつ、シリンダ錠７００の配設位置においては、その設置スペースを確保するためである。但し、本実施形態では、支持板６０３の一般部と、膨出部６０３ａとの接続部分が切り欠かれた状態となっており、支持板６０３は全体として不連続な状態となっている。
【００７４】
支持板６０３の内側（前面扉１２外方側）には、施錠機構の主要構成部となる第１摺動杆６１０、上下一対の主鉤部材６１１，６１２及び副鉤部材６１３，６１４が配設されている。「第１摺動杆６１０」が本実施形態における「摺動部材」に相当し、「主鉤部材６１１，６１２」が「鉤部材」及び「第１鉤部材」に相当し、「副鉤部材６１３，６１４」が「規制部材（ロック部材）」及び「第２鉤部材」に相当する。
【００７５】
第１摺動杆６１０は、長尺状をなし、支持板６０３に沿って上下方向に摺動可能に配設されている。但し、第１摺動杆６１０は、前面扉１２外方側から主鉤部材６１１，６１２や副鉤部材６１３，６１４の前端部近傍（取付板６０２側の端部近傍）に重畳するように、支持板６０３に対し配設されている。
【００７６】
より詳しくは、支持板６０３の上部及び下部には、前面扉１２外方側に向け突出した支持突部６０３ｂが設けられている。かかる支持突部６０３ｂに対応して、摺動杆６１０の上部及び下部には、それぞれガイド孔６１０ａが形成されている。各ガイド孔６１０ａは上下方向に長い長円状をなす。そして、摺動杆６１０の前面扉１２外方側からガイド孔６１０ａに対し挿し込まれたガイドピンＰ６１０が支持板６０３の支持突部６０３ｂに対し固定されている。
【００７７】
一方、取付板６０２には、第１摺動杆６１０の前面扉１２外方側への動きを規制する規制突起６０２ｂが設けられている。規制突起６０２ｂや支持突部６０３ｂは、第１摺動杆６１０の取付状態の安定性を高める機能とともに、第１摺動杆６１０の摺動動作の安定性を高めるガイド部としての機能を備えている。従って、第１摺動杆６１０は、取付板６０２の規制突起６０２ｂや支持板６０３の支持突部６０３ｂにより左右方向（図１１左右方向）への動きを規制され、かつ、ガイドピンＰ６１０により前後方向（図１２左右方向）への動きを規制されつつ、上下方向へ摺動できるようになっている。
【００７８】
また、第１摺動杆６１０には、支持板６０３の膨出部６０３ａに対応する所定の上下区間において、前面扉１２内方側へ膨出した膨出部６１０ｃが形成されている。
【００７９】
次に主鉤部材６１１，６１２の構成について詳しく説明する。主鉤部材６１１，６１２は、その上辺部に係合凹部６１１ａ，６１２ａが形成されている。これにより、主鉤部材６１１，６１２は、支持板６０３より後方へ突出した部分が鉤状となり、該突出部分が係合部（係合爪）として機能する。
【００８０】
主鉤部材６１１，６１２における係合凹部６１１ａ，６１２ａより後端側、すなわち主鉤部材６１１，６１２の頭部６１１ｂ，６１２ｂは、その上辺部が後方に向け下方傾斜した傾斜部６１１ｃ，６１２ｃとなっている。
【００８１】
傾斜部６１１ｃ，６１２ｃには、前面扉１２外方側に向け突出したガード部６１１ｄ，６１２ｄが略全長にわたって設けられている。ガード部６１１ｄ，６１２ｄは、線材等の侵入を妨げ、副鉤部材６１３，６１４等に対し線材等を引っ掛けにくくするためのものである。つまり、副鉤部材６１３，６１４等に対する不正なロック解除操作を防ぐ機能などを備えている。これに代えて又は加えて、頭部６１１ｂ，６１２ｂの先端部（後端部）に同様のガード部を設けた構成としてもよい。
【００８２】
主鉤部材６１１，６１２における係合凹部６１１ａ，６１２ａより前端側、すなわち主鉤部材６１１，６１２の基部６１１ｅ，６１２ｅは、その前端側が前方に向け先細りした側面視略三角形状をなす。
【００８３】
基部６１１ｅ，６１２ｅの上部には挿通孔６１１ｆ，６１２ｆが形成されている。そして、該挿通孔６１１ｆ，６１２ｆに対し前面扉１２外方側から挿し込まれた軸ピンＰ６１１，Ｐ６１２が支持板６０３の固定孔６０３ｃに対し固定されている。これにより、主鉤部材６１１，６１２は、支持板６０３に対し軸ピンＰ６１１，Ｐ６１２（挿通孔６１１ｆ，６１２ｆ）を中心に回動可能に軸支された状態となっている。
【００８４】
また、支持板６０３には、主鉤部材６１１，６１２の基部６１１ｅ，６１２ｅの上方位置において、第１規制突部６０３ｅ及び第２規制突部６０３ｆが形成されている。このうち、後方に位置する第１規制突部６０３ｅは、基部６１１ｅ，６１２ｅの水平上辺部と当接可能に構成され〔図２４（ａ）参照〕、前方に位置する第２規制突部６０３ｆは、基部６１１ｅ，６１２ｅの傾斜上辺部と当接可能に構成されている〔図２４（ｃ）参照〕。
【００８５】
尚、主鉤部材６１１，６１２の回動範囲のうち、基部６１１ｅ，６１２ｅ（水平上辺部）が支持板６０３の第１規制突部６０３ｅに当接する位置が、主鉤部材６１１，６１２が受け金具８００の鉤受部８０３，８０４に係合され得る位置となる。つまり、この位置が、主鉤部材６１１，６１２の係合位置（基準位置）に相当する。これに対し、基部６１１ｅ，６１２ｅ（傾斜上辺部）が支持板６０３の第２規制突部６０３ｆに当接する位置が、主鉤部材６１１，６１２が鉤受部８０３，８０４から離脱し得る位置となる。つまり、この位置が、主鉤部材６１１，６１２の非係合位置に相当する。
【００８６】
次に副鉤部材６１３，６１４の構成について詳しく説明する。副鉤部材６１３，６１４は、前面扉１２の施錠時において、不正な解錠操作による主鉤部材６１１，６１２の変位動作を規制し、前面扉１２の不正な開放を防止するためのものである。
【００８７】
副鉤部材６１３，６１４は、主鉤部材６１１，６１２の前面扉１２外方側に重畳するように配設されている。つまり、副鉤部材６１３，６１４は、主鉤部材６１１，６１２と第１摺動杆６１０との間に配設された状態となっている。
【００８８】
副鉤部材６１３，６１４は、前後方向に沿って延びる横片部６１３ａ，６１４ａと、該横片部６１３ａ，６１４ａの後端部から上方に向け延出した縦片部６１３ｂ，６１４ｂと、縦片部６１３ｂ，６１４ｂの上端から前方に向け突出形成された返し部６１３ｃ，６１４ｃとを備え、全体として側面視略Ｊ字状に形成されている。
【００８９】
副鉤部材６１３，６１４には、横片部６１３ａ，６１４ａと縦片部６１３ｂ，６１４ｂとが交わるコーナー部近傍において、挿通孔６１３ｄ，６１４ｄが形成されている。これに対応して、主鉤部材６１１，６１２には、係合凹部６１１ａ，６１２ａの下方位置（頭部６１１ｂ，６１２ｂの付け根部近傍）において固定孔６１１ｇ，６１２ｇが形成されている。
【００９０】
そして、副鉤部材６１３，６１４の前面扉１２外方側から挿通孔６１３ｄ，６１４ｄに対し挿し込まれた軸ピンＰ６１３，Ｐ６１４が主鉤部材６１１，６１２の固定孔６１１ｇ，６１２ｇに対し固定されている。これにより、副鉤部材６１３，６１４は、主鉤部材６１１，６１２に対し軸ピンＰ６１３，Ｐ６１４（挿通孔６１３ｄ，６１４ｄ）を中心に回動変位可能に軸支されると共に、主鉤部材６１１，６１２が軸ピンＰ６１１，Ｐ６１２を中心に回動変位する場合には、これに連動して回動変位することとなる。
【００９１】
また、主鉤部材６１１，６１２（頭部６１１ｂ，６１２ｂ）の前面扉１２外方側の側面には、副鉤部材６１３，６１４（縦片部６１３ｂ，６１４ｂ）よりも後方位置において、係合突部６１１ｈ，６１２ｈが突設されている。そして、前面扉１２外方側から見て時計回り方向へ副鉤部材６１３，６１４が主鉤部材６１１，６１２に対し相対回動変位することにより、縦片部６１３ｂ，６１４ｂの前端縁と、主鉤部材６１１，６１２の係合突部６１１ｈ，６１２ｈとが当接可能となる。
【００９２】
さらに、主鉤部材６１１，６１２の基部６１１ｅ，６１２ｅの前面扉１２外方側の側面には、副鉤部材６１３，６１４（横片部６１３ａ，６１４ａ）よりも下方位置において、係合突部６１１ｉ，６１２ｉが突設されている。そして、前面扉１２外方側から見て反時計回り方向へ副鉤部材６１３，６１４が主鉤部材６１１，６１２に対し相対回動変位することにより、横片部６１３ａ，６１４ａの下端縁と、主鉤部材６１１，６１２の係合突部６１１ｉ，６１２ｉとが当接可能となる。
【００９３】
副鉤部材６１３，６１４の横片部６１３ａ，６１４ａの上辺部には、前面扉１２内方側へ向け突出した規制片６１３ｅ，６１４ｅが形成されている。副鉤部材６１３，６１４が主鉤部材６１１，６１２に軸支された状態において、副鉤部材６１３，６１４の規制片６１３ｅ，６１４ｅは、主鉤部材６１１，６１２の係合凹部６１１ａ，６１２ａ内に挿し込まれた状態となっている。そして、主鉤部材６１１，６１２が支持板６０３に軸支された状態において、副鉤部材６１３，６１４の規制片６１３ｅ，６１４ｅは、支持板６０３の後縁部よりも後方に位置することとなる。
【００９４】
一方、支持板６０３の後縁部には、規制片６１３ｅ，６１４ｅに対応して凹部６０３ｄが形成されている。これにより、解錠時における副鉤部材６１３，６１４の変位動作が支持板６０３（規制片６１３ｅ，６１４ｅ）によって妨げられないように構成されている。
【００９５】
副鉤部材６１３，６１４の横片部６１３ａ，６１４ａの前端部、すなわち取付板６０２側の端部には、前面扉１２外方側へ向け突出した係合片６１３ｆ，６１４ｆが形成されている。これに対応して、第１摺動杆６１０の前縁部には切欠き部６１０ｆが形成されている。副鉤部材６１３，６１４の係合片６１３ｆ，６１４ｆは、第１摺動杆６１０の切欠き部６１０ｆを介して、第１摺動杆６１０より前面扉１２外方側へ突出した状態となっている。そして、第１摺動杆６１０が上方へ摺動することにより、第１摺動杆６１０の切欠き部６１０ｆの下縁部と、副鉤部材６１３，６１４の係合片６１３ｆ，６１４ｆとが当接する構成となっている。
【００９６】
さらに、副鉤部材６１３，６１４の係合片６１３ｆ，６１４ｆには、付勢部材（維持手段及び付勢手段）としてのコイルばねＣ１，Ｃ２の一端が掛けられている。コイルばねＣ１，Ｃ２の他端は、取付板６０２に設けられたフック部６０２ｃに掛けられている。つまり、コイルばねＣ１，Ｃ２の引張力により、副鉤部材６１３，６１４の前端部が下方へ引っ張られた状態となっている。これにより、副鉤部材６１３，６１４には、前面扉１２外方側から見て、主鉤部材６１１，６１２に対し反時計回り方向へ相対回動変位する力がかかる。
【００９７】
そして、通常時（施錠時）には、副鉤部材６１３，６１４の横片部６１３ａ，６１４ａが主鉤部材６１１，６１２の係合突部６１１ｉ，６１２ｉに付勢された状態となる。同時に、係合突部６１１ｉ，６１２ｉが副鉤部材６１３，６１４（横片部６１３ａ，６１４ａ）によって下方へ押されることにより、主鉤部材６１１，６１２には、前面扉１２外方側から見て、軸ピンＰ６１１，Ｐ６１２を中心に回動変位する力がかかる。その結果、主鉤部材６１１，６１２は上記係合位置（基準位置）に位置することとなる〔図２４（ａ）参照〕。
【００９８】
この際、副鉤部材６１３，６１４は、規制片６１３ｅ，６１４ｅが支持板６０３の後縁部に付勢された状態となると共に、横片部６１３ａ，６１４ａが略水平状態となった基準姿勢をとることとなる。
【００９９】
さらに、かかる状態では、第１摺動杆６１０の切欠き部６１０ｆの下縁部が副鉤部材６１３，６１４の係合片６１３ｆ，６１４ｆによって下方へ押され、第１摺動杆６１０のガイド孔６１０ａの上縁部がガイドピンＰ６１０に当接した状態となっている。この位置が第１摺動杆６１０の基準位置に相当する。
【０１００】
また、第１摺動杆６１０の後縁部には、軸ピンＰ６１３，Ｐ６１４の移動範囲に対応して、該軸ピンＰ６１３，Ｐ６１４が引っ掛からないように、前面扉１２外方側へ膨出した膨出凹部６１０ｊが形成されている。これにより、主鉤部材６１１，６１２及び副鉤部材６１３，６１４の変位動作が第１摺動杆６１０によって妨げられないように構成されている。
【０１０１】
さて、支持板６０３には、該支持板６０３と第１摺動杆６１０との間において、第２摺動杆６２０及び第３摺動杆６３０が配設されている。但し、第２摺動杆６２０及び第３摺動杆６３０はそれぞれ、その上下長が第１摺動杆６１０よりも短く設定されている。
【０１０２】
まず第２摺動杆６２０について詳しく説明する。第２摺動杆６２０は、第１摺動杆６１０の膨出部６１０ｃの下端部近傍から、膨出部６１０ｃのやや上方位置までの区間に対応して設けられている。従って、第２摺動杆６２０は、第１摺動杆６１０の膨出部６１０ｃに沿って配設される下片部６２０ａと、第１摺動杆６１０の一般部に沿って配設される上片部６２０ｂとが段差をもって形成された構成となっている。
【０１０３】
第２摺動杆６２０の下片部６２０ａには、下端部から前面扉１２内方側に向け突出した第１突起片６２１が設けられるとともに、該第１突起片６２１の下縁部から後方に向け突出した第２突起片６２２が設けられている。そして、突起片６２１，６２２は、第２摺動杆６２０が支持板６０３に配設された状態では、膨出部６０３ａの下端部と支持板６０３の一般部との間の切欠き部分を介して支持板６０３より前面扉１２内方側へ突出している。第１突起片６２１は、後述するリセット検出センサ６４０により検出される被検知部として機能する。一方、第２突起片６２２は、第２摺動杆６２０を下方へ摺動操作して、後述するようなリセット操作を行うための手動操作用の操作部として機能する。
【０１０４】
また、支持板６０３には、膨出部６０３ａの下端部位置において、前面扉１２内方側へ突出した取付基部６２５が設けられている。この取付基部６２５の下面側にはリセット検出センサ６４０が取付けられている。本実施形態では、リセット検出センサ６４０として、透過型フォトセンサが採用されている。通常時、すなわち第２摺動杆６２０が基準位置にある場合には、このリセット検出センサ６４０の両素子間に第１突起片６２１が入り込んだ状態となっている。そして、第２摺動杆６２０の下方への摺動変位があった場合、すなわち後述するように鍵Ｋや第２突起片６２２を介したリセット操作があった場合には、第１突起片６２１がリセット検出センサ６４０の両素子間から抜け出し、リセット検出センサ６４０がこれを検出し、主制御装置１３１に対し検出信号を出力する。主制御装置１３１は、この検出信号に基づいて、リセット操作があったことを把握することができる。
【０１０５】
第２摺動杆６２０は、コイルばねＣ３により上方へ付勢されている。より詳しくは、取付板６０２には、幅広部６０２ａのやや上方位置においてフック部６０２ｄが形成されている。一方、第２摺動杆６２０の上片部６２０ｂにはフック部６２７が形成されている。これに対応して、第１摺動杆６１０の前縁部には切欠き部６１０ｇが形成されている。第２摺動杆６２０のフック部６２７は、第１摺動杆６１０の切欠き部６１０ｇを介して、第１摺動杆６１０より前面扉１２外方側へ突出した状態となっている。そして、取付板６０２のフック部６０２ｄにコイルばねＣ３の一端が掛けられるとともに、他端が、第２摺動杆６２０のフック部６２７に掛けられている。
【０１０６】
第２摺動杆６２０は、通常時、コイルばねＣ３の引張力によって、図７等に示すような基準位置において保持されている。この状態で、第２摺動杆６２０は、突起片６２１，６２２が膨出部６０３ａの下端部に付勢されることにより、上方への動作が抑えられた状態となっている。また、この状態では、上述したように第１突起片６２１がリセット検出センサ６４０の両素子間に入り込んだ状態となっている。そして、第２摺動杆６２０の下方への摺動変位があった場合には、第１突起片６２１がリセット検出センサ６４０の両素子間から抜け出した状態となる。
【０１０７】
次に第３摺動杆６３０について詳しく説明する。第３摺動杆６３０は、上記保護カバー２１を施錠するためのものであり、主鉤部材６１１のやや下方位置から膨出部６０３ａのやや上方位置までの区間に対応して設けられている。
【０１０８】
第３摺動杆６３０は、長尺状をなし、支持板６０３に沿って上下方向に摺動可能に配設されている。より詳しくは、第３摺動杆６３０の上部及び下部には、それぞれガイド孔６３０ａが形成されている。各ガイド孔６３０ａは上下方向に長い長円状をなす。そして、第３摺動杆６３０の前面扉１２外方側からガイド孔６３０ａに対し挿し込まれたガイドピンＰ６３０が支持板６０３の固定孔６０３ｇに対し固定されている。
【０１０９】
第３摺動杆６３０は、ガイドピンＰ６３０により左右方向（図１１左右方向）への動きや前後方向（図１２左右方向）への動きを規制されつつ、上下方向へ摺動できるようになっている。
【０１１０】
第３摺動杆６３０には、上下一対の鉤部材６３０ｃと、操作部６３０ｄとが後方に向け突出形成されている。
【０１１１】
第３摺動杆６３０は、コイルばねＣ４により上方へ付勢されている。より詳しくは、取付板６０２にはフック部６０２ｅが形成されている。一方、第３摺動杆６３０にはフック部６３０ｅが形成されている。これに対応して、第１摺動杆６１０の前縁部には切欠き部６１０ｈが形成されている。第３摺動杆６３０のフック部６３０ｅは、第１摺動杆６１０の切欠き部６１０ｈを介して、第１摺動杆６１０より前面扉１２外方側へ突出した状態となっている。そして、取付板６０２のフック部６０２ｅにコイルばねＣ４の一端が掛けられるとともに、他端が、第３摺動杆６３０のフック部６３０ｅに掛けられている。
【０１１２】
第３摺動杆６３０は、通常時、コイルばねＣ４の引張力によって、図７等に示すような基準位置において保持されている。この状態で、第３摺動杆６３０は、ガイドピンＰ６３０がガイド孔６３０ａの下縁部に付勢されることにより、上方への動作が抑えられた状態となっている。
【０１１３】
そして、保護カバー２１の閉状態にあっては、第３摺動杆６３０が基準位置に位置することにより、保護カバー２１に設けられた一対の被係合部（図示略）に対し鉤部材６３０ｃが係合され、その係合状態が維持される。
【０１１４】
第３摺動杆６３０の操作部６３０ｄは、前面扉１２を開状態とした場合にのみ露出し、該場合に限り操作可能となっている。そして、操作部６３０ｄをコイルばねＣ４の引張力に抗して押下げることにより、前記係合状態が解除され、保護カバー２１が解錠されることとなる。
【０１１５】
さて、取付板６０２の幅広部６０２ａには、錠部材としてのシリンダ錠７００が取付けられている。図２２，２３に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１１６】
シリンダ錠７００は、取付板６０２の取付孔６０２ｊに対しシリンダ本体７０１を挿通した状態で、取付板６０２の背面側により台座部材７０５を介してネジ止め固定されている。
【０１１７】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１１８】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１１９】
上記構成により、鍵穴７０２内への鍵Ｋの挿入時には、該鍵Ｋの上下両側の凹凸形状に沿って各ピン７１４等が上下動する。そして、鍵Ｋの挿入完了状態にあっては、図２３に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１２０】
また、錠軸７０３の後端部には、鍵穴７０２に挿入された鍵Ｋの回動動作を第１摺動杆６１０又は第２摺動杆６２０に伝達するカム板７２０が固定されている。
【０１２１】
カム板７２０は、上下一対の上係合爪７２０ａ及び下係合爪７２０ｂを備えている。これらの係合爪７２０ａ，７２０ｂは、カム板７２０の回動方向に所定間隔を置いて形成されている（図９等参照）。
【０１２２】
これに合わせて、第１摺動杆６１０の膨出部６１０ｃには、係合爪７２０ａ，７２０ｂが出入可能な上下一対の上係合孔７２５及び下係合孔７２６が形成されている。同様に、第２摺動杆６２０の下片部６２０ａには、係合爪７２０ａ，７２０ｂが出入可能な上下一対の上係合孔７２７及び下係合孔７２８が形成されている。また、支持板６０３の膨出部６０３ａには、係合爪７２０ａ，７２０ｂの動作を妨げないように透孔７３０が形成されている。
【０１２３】
第１摺動杆６１０の係合孔７２５，７２６及び第２摺動杆６２０の係合孔７２７，７２８は、第１摺動杆６１０の膨出部６１０ｃ及び第２摺動杆６２０の下片部６２０ａの重畳状態にあっては、少なくとも上係合孔７２５，７２７同士、及び、下係合孔７２６，７２８同士が連通状態となっている（図１４等参照）。
【０１２４】
尚、第１摺動杆６１０側では、両係合孔７２５，７２６のうち上方に位置する上係合孔７２５の方が、下係合孔７２６よりも、上下方向の形成区間が長めに設定されている。これに対し、第２摺動杆６２０側では、両係合孔７２７，７２８のうち下方に位置する下係合孔７２８の方が、上係合孔７２７よりも、上下方向の形成区間が長めに設定されている。これは、後述するように第１摺動杆６１０又は第２摺動杆６２０の一方をカム板７２０が摺動させる際に、他方に上係合爪７２０ａ又は下係合爪７２０ｂを接触させないようにして、他方を摺動させないようにするためである。
【０１２５】
上記構成のもと、シリンダ錠７００の鍵穴７０２に鍵Ｋが挿し込まれていない状態で、錠軸７０３及びカム板７２０が基準位置にある場合には、上係合爪７２０ａの先端が、第１摺動杆６１０及び第２摺動杆６２０の上係合孔７２５，７２７に挿通状態となるとともに、下係合爪７２０ｂの先端が、第１摺動杆６１０及び第２摺動杆６２０の下係合孔７２６，７２８に挿通状態となる。
【０１２６】
これにより、前面扉１２の閉鎖状態において、第１摺動杆６１０がカム板７２０以外の力によって解錠方向（上方）に動かされた場合、例えば鍵Ｋを用いずに第１摺動杆６１０に対し線材等を不正に引っ掛けて、解錠方向への外力がかけられた場合に、下係合孔７２６の下縁部がカム板７２０の下係合爪７２０ｂに当接することにより、第１摺動杆６１０の解錠方向への摺動を阻止し、不正解錠を防止することができる。
【０１２７】
上述したように、本実施形態のシリンダ錠７００は、鍵穴７０２に鍵Ｋの挿入がない場合には錠軸７０３及びカム板７２０を回動させることができない状態（ロック状態）となる。そのため、下係合孔７２６の下縁部がカム板７２０の下係合爪７２０ｂに引っ掛かった場合でも、カム板７２０は回動せず、第１摺動杆６１０の上方への摺動変位は、遊び幅を除き実質的に規制される。
【０１２８】
また、支持板６０３の長手方向中央部及び下端部には、合成樹脂製のカバー部材６７１、６７２がネジ止め固定されている。カバー部材６７１、６７２は、その後端下部がＲ形状となっている。これは、前面扉１２を筐体１１に対して閉鎖する際に、施錠装置６００と受け金具８００との位置ズレを防止し、前面扉１２をスムーズに閉鎖させるためのものである。
【０１２９】
次に受け金具８００について図７，８及び図１５〜図２１を参照して詳細に説明する。図１５は受け金具８００の左側面図であり、図１６は正面図であり、図１７は右側面図であり、図１８は背面図である。図１９は、施錠状態にある施錠装置６００及び受け金具８００を示す右側面図であり、図２０は左側面図であり、図２１は背面図である。
【０１３０】
受け金具８００は、筐体１１の右側板１１ｅ内側に取付固定される縦長の板部８０１を備えている。板部８０１が本実施形態における被覆部材に相当する。
【０１３１】
板部８０１の前縁部の長手方向略全域には、筐体１１外方側に向け屈曲形成された膨出部８０２が設けられている。膨出部８０２は、前面扉１２を筐体１１に対して閉鎖する際に、施錠装置６００が板部８０１の前縁部に引っ掛かることなく、前面扉１２をスムーズに閉鎖させるためのものである。
【０１３２】
板部８０１には、施錠装置６００の主鉤部材６１１，６１２と係合する被係合部として上下一対の鉤受部８０３，８０４が設けられている。鉤受部８０３，８０４は、板部８０１の後縁部から筐体１１内方側へ向け突出形成されている。
【０１３３】
鉤受部８０３，８０４には、副鉤部材６１３，６１４の返し部６１３ｃ，６１４ｃに対応して係合孔８０３ａ，８０４ａが形成されている。主鉤部材６１１，６１２が鉤受部８０３，８０４に係合された際には、副鉤部材６１３，６１４の返し部６１３ｃ，６１４ｃが係合孔８０３ａ，８０４ａに挿通され係合可能な状態となる〔図２４（ａ）等参照〕。
【０１３４】
尚、施錠装置６００の支持板６０３の後縁部には、副鉤部材６１３，６１４の返し部６１３ｃ，６１４ｃ（鉤受部８０３，８０４の係合孔８０３ａ，８０４ａ）に相対向するように、前面扉１２外方側に向け突出したガード部６０３ｈが形成されている。ガード部６０３ｈは、返し部６１３ｃ，６１４ｃが線材等により前方から押されないようにして、鉤受部８０３，８０４の係合孔８０３ａ，８０４ａから副鉤部材６１３，６１４の返し部６１３ｃ，６１４ｃを外れにくくするためのものである。つまり、副鉤部材６１３，６１４等に対する不正なロック解除操作を防ぐ機能などを備えている。
【０１３５】
また、鉤受部８０３，８０４の先端縁部（筐体１１内方側の端縁部）には、後方に向け突出したガード部８０３ｂ，８０４ｂが形成されている。ガード部８０３ｂ，８０４ｂは、線材等の侵入を妨げ、副鉤部材６１３，６１４等に対し線材等を引っ掛けにくくするためのものである。つまり、副鉤部材６１３，６１４等に対する不正なロック解除操作を防ぐ機能などを備えている。
【０１３６】
さらに、板部８０１には、シリンダ錠７００（カム板７２０）に対応する位置において、ガード壁部８０５が形成されている。ガード壁部８０５は、板部８０１の後縁部から筐体１１内方側へ向け突出形成されている。ガード壁部８０５は、開放検知スイッチ６５０に接触する被検知部としての機能を備えるとともに、基枠６０１内側への線材等の侵入を防ぎ、第１摺動杆６１０の膨出部６１０ｃやシリンダ錠７００のカム板７２０等に対する不正な解錠操作を防ぐ機能などを備えている（図２１等参照）。
【０１３７】
ガード壁部８０５に対応して、支持板６０３には、膨出部６０３ａの後端縁部において、前面扉１２内方側へ突出した取付基部６２６が設けられている。この取付基部６２６に開放検知スイッチ６５０が取付けられている。
【０１３８】
開放検知スイッチ６５０は、スイッチ部６５０ａが後方に向くように取付けられている。かかる構成により、前面扉１２の閉鎖状態においては、このスイッチ部６５０ａが受け金具８００側のガード壁部８０５に押圧されることによって、スイッチ本体内へ没入した状態となっている（図２０参照）。一方、前面扉１２が開放状態となった場合には、受け金具８００側のガード壁部８０５から離間することにより、スイッチ部６５０ａがスイッチ本体から突出した状態となる（図１４等参照）。
【０１３９】
開放検知スイッチ６５０は、スイッチ部６５０ａが突出状態にある場合にはオン信号を出力し、スイッチ部６５０ａが没入状態にある場合にはオフ信号を出力する。つまり、前面扉１２が開放状態となると、開放検知スイッチ６５０から主制御装置１３１に対しオン信号が出力される。主制御装置１３１は、このオン信号に基づいて、前面扉１２の開放があった旨を把握する。
【０１４０】
また、板部８０１には、上下の鉤受部８０３，８０４間の上下方向の大部分の区間において、リブ８０６が形成されている。リブ８０６は、板部８０１の後縁部から筐体１１内方側へ向け突出形成されている。リブ８０６は、基枠６０１内側への線材等の侵入を防ぎ、第１摺動杆６１０等に対する不正な解錠操作を防ぐ機能などを備えている（図２１等参照）。
【０１４１】
次に、施錠装置６００及び受け金具８００の作用について詳しく説明する。前面扉１２が筐体１１に施錠された状態、すなわち施錠装置６００及び受け金具８００の施錠状態においては、図２４（ａ）に示すように第１摺動杆６１０が基準位置をとることにより、主鉤部材６１１，６１２が鉤受部８０３，８０４の背面側にて係合され、前面扉１２の開放が規制されている。
【０１４２】
前面扉１２の閉鎖状態においては、上述したように、シリンダ錠７００のカム板７２０と第１摺動杆６１０の下係合孔７２６との係合により、第１摺動杆６１０の上方への摺動変位が遊び幅を除き実質的に規制された状態となっている。つまり、第１摺動杆６１０によって副鉤部材６１３，６１４ひいては主鉤部材６１１，６１２が変位しないように構成されている。
【０１４３】
図２４（ａ）に示すように、主鉤部材６１１，６１２が鉤受部８０３，８０４に係合された状態においては、副鉤部材６１３，６１４の返し部６１３ｃ，６１４ｃが鉤受部８０３，８０４の係合孔８０３ａ，８０４ａに挿通された状態となっている。かかる状態が副鉤部材６１３，６１４のロック状態（規制状態）に相当する。
【０１４４】
かかる状態において、仮に鍵Ｋの操作（第１摺動杆６１０の動作）を伴わない不正な外力によって主鉤部材６１１，６１２が解錠方向に動かされようとした場合、例えば主鉤部材６１１，６１２に対し線材等を不正に引っ掛けて、第１摺動杆６１０を介さずに、主鉤部材６１１，６１２に対し解錠方向への外力がかけられた場合には、まず主鉤部材６１１，６１２が軸ピンＰ６１１，Ｐ６１２を中心に解錠方向（前面扉１２外方側から見て時計回り方向）へ回動変位しようとする。
【０１４５】
これに伴い、副鉤部材６１３，６１４は、係合片６１３ｆ，６１４ｆがコイルばねＣ１，Ｃ２により下方へ引っ張られた状態で、軸ピンＰ６１１，Ｐ６１２を中心に主鉤部材６１１，６１２と共に一体回動変位しようとする。
【０１４６】
その結果、図２５に示すように、副鉤部材６１３，６１４は、主鉤部材６１１，６１２との相対位置関係を維持したまま、回動軸である軸ピンＰ６１３，Ｐ６１４の位置が下方へ下がり、返し部６１３ｃ，６１４ｃが鉤受部８０３，８０４の係合孔８０３ａ，８０４ａの下縁部に引っ掛かる。これにより、それ以上、主鉤部材６１１，６１２が解錠方向へ回動変位できなくなる。つまり、主鉤部材６１１，６１２を非係合位置まで変位させることができず、前面扉１２を開放することができなくなる。
【０１４７】
一方、正規に前面扉１２を開放する際には、シリンダ錠７００の鍵穴７０２に鍵Ｋを挿入し、スロットマシン１０の正面側（図１参照）から見て時計回り方向に回動させる。この操作が本実施形態における特定の操作に相当する。これにより、カム板７２０が同方向に回動して、下係合爪７２０ｂが第１摺動杆６１０の下係合孔７２６の上縁部に接触する。
【０１４８】
その後、さらにカム板７２０を回動させていくに従って、下係合爪７２０ｂがコイルばねＣ１，Ｃ２の引張力に抗して第１摺動杆６１０を上方へ押し上げていく。この際、下係合爪７２０ｂが挿通された第２摺動杆６２０の下係合孔７２８の上部には、下係合爪７２０ｂが上方へ変位するスペースが確保されているため、第１摺動杆６１０を押し上げていく過程において、下係合爪７２０ｂが第２摺動杆６２０に当接せず、その動作が妨げられないようになっている。
【０１４９】
第１摺動杆６１０が上方へ摺動していくと、図２４（ｂ）に示すように、まず副鉤部材６１３，６１４の係合片６１３ｆ，６１４ｆが、第１摺動杆６１０の切欠き部６１０ｆの下縁部によって押し上げられ、副鉤部材６１３，６１４が軸ピンＰ６１３，Ｐ６１４を中心に主鉤部材６１１，６１２に対し相対回動変位する。
【０１５０】
その結果、副鉤部材６１３，６１４の返し部６１３ｃ，６１４ｃが、鉤受部８０３，８０４の係合孔８０３ａ，８０４ａから抜け出すと共に、主鉤部材６１１，６１２の係合凹部６１１ａ，６１２ａから頭部６１１ｂ，６１２ｂ側へ引っ込んだ状態となる。これにより、副鉤部材６１３，６１４によるロック状態が解除された状態となる。かかる状態が副鉤部材６１３，６１４のロック解除状態（規制解除状態）に相当する。
【０１５１】
ここから、さらに第１摺動杆６１０を上方へ摺動させ、副鉤部材６１３，６１４を回動変位させていくと、副鉤部材６１３，６１４の縦片部６１３ｂ，６１４ｂが主鉤部材６１１，６１２の係合突部６１１ｈ，６１２ｈに接触し、副鉤部材６１３，６１４（縦片部６１３ｂ，６１４ｂ）が主鉤部材６１１，６１２を解錠方向へ押していくこととなる〔図２４（ｂ）参照〕。
【０１５２】
上記のとおり、この段階では副鉤部材６１３，６１４によるロック状態が解除されているため、主鉤部材６１１，６１２及び副鉤部材６１３，６１４は、コイルばねＣ１，Ｃ２の引張力に抗して、軸ピンＰ６１１，Ｐ６１２を中心として解錠方向（前面扉１２外方側から見て時計回り方向）へ一体回動変位していくこととなる。
【０１５３】
尚、副鉤部材６１３，６１４がロック状態にある場合と、ロック解除状態にある場合とで、主鉤部材６１１，６１２及び副鉤部材６１３，６１４が一体回動変位する際の返し部６１３ｃ，６１４ｃの通る軌道が異なるため、ここでは返し部６１３ｃ，６１４ｃが鉤受部８０３，８０４の係合孔８０３ａ，８０４ａの下縁部に引っ掛かることなく、主鉤部材６１１，６１２が非係合位置側へ変位することが可能となる。
【０１５４】
そして、主鉤部材６１１，６１２が非係合位置まで変位すると、鉤受部８０３，８０４との係合が解除された状態（非係合状態）となり、前面扉１２の開放が許容される。
【０１５５】
尚、前面扉１２が開放された時点で、鍵Ｋを操作する手の力を緩めると、コイルばねＣ１，Ｃ２の引張力により、第１摺動杆６１０は下方へ引き下げられ、基準位置に復帰する。これに伴い、カム板７２０及び錠軸７０３も基準位置に復帰する。
【０１５６】
上述したように、本実施形態では、シリンダ錠７００の鍵穴７０２に鍵Ｋが挿入されていない場合には、第１摺動杆６１０の摺動が規制されているが、開放状態にある前面扉１２を施錠する際には、鍵Ｋを用いることなく施錠を行うことができるよう構成されている。
【０１５７】
より詳しくは、施錠装置６００及び受け金具８００が解錠状態となった前面扉１２の開放状態から、該前面扉１２を閉じていくと、まず主鉤部材６１１，６１２の頭部６１１ｂ，６１２ｂの傾斜部６１１ｃ，６１２ｃが鉤受部８０３，８０４の下辺に接触する。
【０１５８】
さらに前面扉１２を閉じていくと、主鉤部材６１１，６１２が軸ピンＰ６１１，Ｐ６１２を中心に解錠方向へ回動変位する。そして、副鉤部材６１３，６１４を軸支している軸ピンＰ６１３，Ｐ６１４の位置を押し下げつつ、主鉤部材６１１，６１２の係合突部６１１ｉ，６１２ｉが副鉤部材６１３，６１４の横片部６１３ａ，６１４ａを押し上げる。これにより、コイルばねＣ１，Ｃ２の引張力に抗して、主鉤部材６１１，６１２及び副鉤部材６１３，６１４が解錠方向へ一体回動変位する。
【０１５９】
その後、主鉤部材６１１，６１２の頭部６１１ｂ，６１２ｂ（傾斜部６１１ｃ，６１２ｃ）及び副鉤部材６１３，６１４の返し部６１３ｃ，６１４ｃが鉤受部８０３，８０４を乗り越えると、主鉤部材６１１，６１２及び副鉤部材６１３，６１４は、コイルばねＣ１，Ｃ２の引張力により元の位置に戻る。
【０１６０】
これにより、鉤受部８０３，８０４が主鉤部材６１１，６１２の係合凹部６１１ａ，６１２ａに入り込み、主鉤部材６１１，６１２の頭部６１１ｂ，６１２ｂが鉤受部８０３，８０４の背面側に係合される〔図２４（ａ）参照〕。
【０１６１】
主鉤部材６１１，６１２が元の位置に戻ると、副鉤部材６１３，６１４も元の状態に戻り、副鉤部材６１３，６１４の返し部６１３ｃ，６１４ｃが鉤受部８０３，８０４の係合孔８０３ａ，８０４ａに挿通された状態となる。これにより、施錠が完了し、前面扉１２の開放が規制された状態となるとともに、副鉤部材６１３，６１４により主鉤部材６１１，６１２の解錠方向への変位が遊び幅を除き実質的に規制された状態（ロック状態）となる。
【０１６２】
次にリセット操作について詳しく説明する。前面扉１２の閉鎖状態においては、第２摺動杆６２０が基準位置をとることにより、上述したように第１突起片６２１がリセット検出センサ６４０の両素子間に入り込んだ状態となっている。
【０１６３】
そして、前面扉１２の閉鎖状態においてリセット操作を行う際には、シリンダ錠７００の鍵穴７０２に鍵Ｋを挿入し、スロットマシン１０の正面側から見て反時計回り方向に回動させる。これにより、カム板７２０が同方向に回動して、上係合爪７２０ａが第２摺動杆６２０の上係合孔７２７の下縁部に接触する。
【０１６４】
その後、さらにカム板７２０を回動させていくに従って、上係合爪７２０ａがコイルばねＣ３の引張力に抗して第２摺動杆６２０を下方へ押し下げていく。この際、上係合爪７２０ａが挿通された第１摺動杆６１０の上係合孔７２５の下部には、上係合爪７２０ａが下方へ変位するスペースが確保されているため、第２摺動杆６２０を押し下げていく過程において、上係合爪７２０ａが第１摺動杆６１０に当接せず、その動作が妨げられないようになっている。
【０１６５】
第２摺動杆６２０が下方へ摺動すると、第１突起片６２１がリセット検出センサ６４０の両素子間から抜け出し、リセット検出センサ６４０がこれを検出し、主制御装置１３１に対し検出信号を出力する。主制御装置１３１は、この検出信号に基づいて、リセット操作があったことを把握することができる。これにより、例えばホッパーエラー等のエラー状態のリセットを、前面扉１２を開放することなく行うことができる。
【０１６６】
そして、鍵Ｋを操作する手の力を緩めると、コイルばねＣ３の引張力により、第２摺動杆６２０は上方へ引き上げられ、基準位置に復帰する。これに伴い、カム板７２０及び錠軸７０３も基準位置に復帰する。
【０１６７】
一方、前面扉１２の開放状態においては、第２突起片６２２を手動操作して、第２摺動杆６２０を下方へ摺動させることで上記同様のリセット操作を行うことができる。上述したように本スロットマシン１０は各種データのバックアップ機能を有しており、万一停電が発生した際でも停電時の状態を保持し、停電からの復旧（復電）の際には停電時の状態に復帰できるようになっている。従って、遊技ホールの営業が終了する場合のように通常手順で電源を遮断すると遮断前の状態が記憶保持されるが、例えば第２突起片６２２を押しながら電源スイッチ１２２をオンすると、バックアップデータがリセットされるようになっている。
【０１６８】
以上詳述したように、本実施形態では、シリンダ錠７００に鍵Ｋの挿入がない場合には、カム板７２０と下係合孔７２６との係合により、第１摺動杆６１０の上方への摺動変位が遊び幅を除き実質的に規制された状態となる。
【０１６９】
また、副鉤部材６１３，６１４を備えることにより、前面扉１２の閉鎖状態においては、鍵Ｋを用いずに線材等によって主鉤部材６１１，６１２に対し直接の解錠操作、すなわち不正な解錠操作が行われた場合には、主鉤部材６１１，６１２の解錠方向への変位が規制される。つまり、主鉤部材６１１，６１２は、遊び幅を除き実質的に係合位置に維持されるため、前面扉１２の開放は許容されない。
【０１７０】
一方、鍵Ｋを用いて正規に解錠操作を行った場合には、第１摺動杆６１０から力を受けることにより、副鉤部材６１３，６１４が状態変化し、主鉤部材６１１，６１２が非係合位置側へ変位可能となる。つまり、主鉤部材６１１，６１２が鉤受部８０３，８０４から離脱し、前面扉１２の開放が許容される。
【０１７１】
また、本実施形態では、開放状態にある前面扉１２を施錠する際には、鍵Ｋを用いることなく施錠を行うことができるよう構成されている。より詳しくは、前面扉１２を施錠する際に、コイルばねＣ１，Ｃ２の引張力に抗して、主鉤部材６１１，６１２の傾斜部６１１ｃ，６１２ｃが鉤受部８０３，８０４に接触して一旦解錠方向に変位すると共に、これに従動して副鉤部材６１３，６１４も一体回動変位する。その後、コイルばねＣ１，Ｃ２の引張力により、主鉤部材６１１，６１２及び副鉤部材６１３，６１４が元の位置に戻り、施錠が完了する。これにより、前面扉１２の開放が規制された状態となるとともに、副鉤部材６１３，６１４によりロックがかかったロック状態となる。このような構成とすることで、副鉤部材６１３，６１４が邪魔になることなく、スムーズに前面扉１２を閉めることができ、作業性が向上する。
【０１７２】
さらに、上下の主鉤部材６１１，６１２は、それぞれ独立して回動変位するように構成されているため、不正行為により仮に主鉤部材６１１，６１２のいずれか一方が解錠方向へ変位させられてしまった場合でも、これに第１摺動杆６１０が連動せず、他方は変位しないため、前面扉１２の施錠状態は保持され、開放は許容されない。結果として、主鉤部材６１１，６１２の解錠方向への変位を規制する副鉤部材６１３，６１４との相乗効果により、不正解錠に対する防御性能がさらに向上する。
〔第２実施形態〕
以下、第２実施形態について図２６を参照しつつ説明する。尚、第１実施形態と同一構成部分については、同一符号を付し、その詳細な説明を省略する。
【０１７３】
図２６に示すように、本実施形態に係る施錠装置６００は、基枠９００に沿って上下方向に摺動可能に設けられた摺動部材９０１と、該摺動部材９０１の前面扉１２外方側において上下方向に摺動可能に設けられると共に、筐体１１側に設けられた鉤受部９０５に対し係脱可能に設けられた主鉤部材９０２と、該主鉤部材９０２の前面扉１２内方側に重畳するように摺動部材９０１に一体形成された副鉤部材９０３と、主鉤部材９０２を下方へ付勢するコイルばねＣ１１と、摺動部材９０１を下方へ付勢するコイルばねＣ１２とを備えた構成となっている。
【０１７４】
さらに、副鉤部材９０３は、その上縁部から前面扉１２外方側に向け突出形成された規制片９０３ａを有し、その側面部から前面扉１２外方側に向け突出形成された係合片９０３ｂを有している。規制片９０３ａは、主鉤部材９０２の上方に位置している。一方、主鉤部材９０２には、上下方向に沿って長孔９０２ａが形成されており、該長孔９０２ａに対し係合片９０３ｂが挿通された状態となっている。
【０１７５】
かかる構成の下、シリンダ錠７００に鍵Ｋの挿入がない場合には、カム板７２０との係合により、摺動部材９０１の上方への摺動変位が遊び幅を除き実質的に規制された状態となる。
【０１７６】
また、副鉤部材９０３（規制片９０３ａ）を備えることにより、前面扉１２の閉鎖状態においては、鍵Ｋを用いずに線材等によって主鉤部材９０２に対し直接の解錠操作、すなわち不正な解錠操作が行われた場合には、主鉤部材９０２の解錠方向（上方）への摺動変位が規制される。つまり、主鉤部材９０２は、遊び幅を除き実質的に係合位置に維持されるため、前面扉１２の開放は許容されない。
【０１７７】
一方、鍵Ｋを用いて正規に解錠操作を行った場合には、副鉤部材９０３（規制片９０３ａ）が摺動部材９０１と一体に上方へ摺動することにより、副鉤部材９０３（規制片９０３ａ）による規制状態が解除され、主鉤部材９０２が非係合位置側（上方）へ摺動変位可能となる。つまり、主鉤部材９０２が鉤受部９０５から離脱し、前面扉１２の開放が許容される。
【０１７８】
但し、本実施形態では、開放状態にある前面扉１２を施錠する際には、シリンダ錠７００に鍵Ｋを挿入した状態（摺動部材９０１が摺動変位可能な状態）のまま前面扉１２を閉じていく、又は、鍵Ｋを解錠操作しつつ前面扉１２を閉じていく必要がある。
【０１７９】
以上詳述したように、本実施形態によれば、上記第１実施形態と同様の作用効果が奏される。
【０１８０】
尚、上述した実施形態の記載内容に限定されず、例えば次のように実施してもよい。
【０１８１】
（ａ）主鉤部材６１１，６１２等の主鉤部材、副鉤部材６１３，６１４等の副鉤部、及び、第１摺動杆６１０等の摺動部材の構成は、上記各実施形態に限定されるものではない。
【０１８２】
例えば上記第１実施形態では、主鉤部材６１１，６１２が回動可能に設けられかつ副鉤部材６１３，６１４が回動可能に設けられた構成となっており、第２実施形態においては、主鉤部材９０２が摺動可能に設けられかつ副鉤部材９０３が摺動可能に設けられた構成となっている。
【０１８３】
これに限らず、主鉤部材が摺動可能（例えば解錠方向が上方向）に設けられかつ副鉤部材が回動可能（例えば前面扉１２外方側から見て時計回り方向が解錠方向）に設けられた構成としてもよい。また、主鉤部材が回動可能（例えば前面扉１２外方側から見て時計回り方向が解錠方向）に設けられかつ副鉤部材が摺動可能（例えば解錠方向が上方向）に設けられた構成としてもよい。
【０１８４】
（ｂ）上記第１実施形態では、副鉤部材６１３，６１４が主鉤部材６１１，６１２に対し回動可能に軸支された構成となっている。これに限らず、副鉤部材６１３，６１４が主鉤部材６１１，６１２とは独立して支持板６０３に対し回動可能に軸支された構成としてもよい。勿論、かかる場合には、各鉤部材に対応してコイルばね等の付勢手段を備えることとなる。
【０１８５】
また、かかる構成の下、主鉤部材６１１，６１２と副鉤部材６１３，６１４が従動せず、それぞれ個別に第１摺動杆６１０の動作に連動して段階的に動くような構成としてもよい。但し、かかる構成においては、上記第２実施形態の規制片９０３ａのような部位を副鉤部材６１３，６１４に設ける必要がある。
【０１８６】
（ｃ）上記第２実施形態において、副鉤部材９０３と摺動部材９０１とを別体とし、摺動部材９０１の動作に連動して副鉤部材９０３が摺動変位する構成としてもよい。
【０１８７】
また、副鉤部材９０３の係合片９０３ｂ及び主鉤部材９０２の長孔９０２ａを省略し、主鉤部材９０２と副鉤部材９０３が従動せず、それぞれ個別に摺動部材９０１の動作に連動して段階的に動くような構成としてもよい。
【０１８８】
（ｄ）主鉤部材６１１，６１２等の主鉤部材、副鉤部材６１３，６１４等の副鉤部、及び、鉤受部８０３，８０４等の被係合部の数は、上記各実施形態の数に限定されるものではない。例えば１つであってもよい。
【０１８９】
また、上記第１実施形態では、上下の主鉤部材６１１，６１２に対しそれぞれ副鉤部材６１３，６１４が設けられた構成となっているが、これに限らず、いずれか一方に対応して副鉤部材６１３，６１４を設けた構成としてもよい。但し、不正解錠に対する防御性能の向上を図る上では、主鉤部材６１１，６１２が複数ある場合には、それぞれに対応して副鉤部材６１３，６１４を設けることが好ましい。
【０１９０】
（ｅ）上記第１実施形態では、副鉤部材６１３，６１４の返し部６１３ｃ，６１４ｃが鉤受部８０３，８０４の係合孔８０３ａ，８０４ａに挿通された状態となることにより、主鉤部材６１１，６１２の解錠方向への変位を規制するロック状態となる構成となっている。
【０１９１】
これに限らず、副鉤部材６１３，６１４の返し部６１３ｃ，６１４ｃが、筺体１１側の他の部位（例えば受け金具８００における鉤受部８０３，８０４とは異なる部位）に係合されることにより、主鉤部材６１１，６１２の解錠方向への変位を規制するロック状態となる構成としてもよい。また、第２実施形態のように、副鉤部材６１３，６１４の所定部位が主鉤部材６１１，６１２に対し直接係合して、主鉤部材６１１，６１２を変位不能とする構成としてもよい。
【０１９２】
（ｆ）上記第１実施形態では、主鉤部材６１１，６１２の傾斜部６１１ｃ，６１２ｃ等においてガード部６１１ｄ，６１２ｄ等が設けられた構成となっているが、これを省略した構成としてもよい。また、上記第１実施形態において、線材の侵入や引っ掛け等を妨げる機能を有した他のガード部やリブ、フランジ等についても同様に省略してもよい。
【０１９３】
一方、第２実施形態において、線材の侵入や引っ掛け等を妨げる機能を有したガード部やリブ、フランジ等を第１実施形態と同様の位置に設けた構成としてもよい。
【０１９４】
（ｇ）受け金具８００の構成は、上記各実施形態に係る構成に限定されるものではない。例えば上記各実施形態では、被覆部材としての板部８０１と、被係合部としての鉤受部８０３，８０４とが一体形成された構成となっているが、これらを別体とした構成としてもよいし、板部８０１を省略した構成としてもよい。
【０１９５】
（ｈ）基枠６０１（支持板６０３）への組付け方向（左右方向）に対する主鉤部材６１１，６１２等の主鉤部材、副鉤部材６１３，６１４等の副鉤部、及び、第１摺動杆６１０等の摺動部材の配設位置は、上記各実施形態に限定されるものではない。
【０１９６】
例えば第１実施形態において、主鉤部材６１１，６１２と支持板６０３との間に副鉤部材６１３，６１４を配置した構成としてもよいし、第２実施形態において、副鉤部材９０３と基枠（支持板）９００との間に主鉤部材９０２を配置した構成としてもよい。
【０１９７】
（ｉ）上記各実施形態では、鍵Ｋの非挿入状態においてシリンダ錠７００がロック状態となり、第１摺動杆６１０等の摺動部材の摺動変位がカム板７２０により規制される構成を採用している。これに限らず、例えば、第１摺動杆６１０等の摺動部材が基準位置にある場合には、カム板７２０の両係合爪７２０ａ，７２０ｂが係合孔７２５，７２６等に挿入された状態とならず、第１摺動杆６１０等の摺動部材の摺動が規制されない構成を採用してもよい。また、鍵Ｋの非挿入状態においてもロック状態とならない（カム板７２０が変位不能とならない）シリンダ錠を採用してもよい。但し、この場合には、鍵Ｋを用いずに第１摺動杆６１０等の摺動部材に対して直接行われる不正な解錠操作に対して防御制御を高めるため、第１摺動杆６１０等の摺動部材の変位を規制可能な何らかの手段を備えることが好ましい。
【０１９８】
（ｊ）上記第１実施形態において、主鉤部材６１１，６１２の解錠方向への変位を規制するための返し部６１３ｃ，６１４ｃを副鉤部材６１３，６１４から省略した構成としてもよい。同様に、上記第２実施形態において、主鉤部材９０２の解錠方向への変位を規制するための規制片９０３ａを副鉤部材９０３から省略した構成としてもよい。但し、かかる構成とした場合には、上記（ｂ）で示したように、主鉤部材６１１，６１２等の主鉤部材と、副鉤部材６１３，６１４等の副鉤部材とが独立して設けられることが好ましい。
【０１９９】
かかる構成によれば、１つの被係合部に対し２つの鉤部材（主鉤部材及び副鉤部材）が係合する構成となるため、仮に前面扉１２の施錠時において、鍵Ｋを用いずに線材等によって、摺動部材を介さず主鉤部材又は副鉤部材の一方に対し直接外力をかけられた場合、すなわち不正な解錠操作が行われた場合であっても、他方の鉤部材は係合位置に維持されるため、前面扉１２の開放は許容されない。結果として、線材等を用いた不正解錠に対する防御性能の向上を図ることができる。
【０２００】
（ｋ）上記各実施形態とは異なるタイプのスロットマシン（回胴式遊技機）として実施してもよい。また、スロットマシン以外にも、パチンコ機や、スロットマシンとパチンコ機とを融合した形式の遊技機など他の遊技機に適用してもよい。
【０２０１】
尚、パチンコ機等のように複数の扉体を備えた構成においては、例えば第１扉体の施錠機構及び第２扉体の施錠機構が単一の施錠装置によって具現化された構成としてもよい。かかる場合、第１扉体施錠機構及び第２扉体施錠機構の両施錠機構において、それぞれ主鉤部材６１１，６１２等の主鉤部材、及び、副鉤部材６１３，６１４等の副鉤部材を備えた構成としてもよい。
【０２０２】
また、１つの摺動部材を共用しつつ、第１扉体の解錠操作と第２扉体の解錠操作を別々に実行可能な構成としてもよい。例えばシリンダ錠７００の鍵穴７０２に鍵Ｋを挿入し、時計回り方向に回動操作することで第１扉体が解錠され、反時計回りに回動操作することで第２扉体が解錠される構成としてもよい。
【０２０３】
尚、１つの摺動部材を共用しつつ、２つの扉体の解錠を別々に行う構成とするためには、少なくとも一方の扉体の施錠機構における鉤部材に関しては、摺動部材と相対変位可能に設けざるを得ない。そのため、鉤部材に対する直接の解錠操作によっては鉤部材が変位しない構成とすることが、不正防止の観点から必要とされる。
【０２０４】
この点、本願では、副鉤部材６１３，６１４等の副鉤部材を備えることにより、鍵を用いない線材等による不正な解錠操作（主鉤部材６１１，６１２等の主鉤部材に対する直接の解錠操作）によって、主鉤部材６１１，６１２等の主鉤部材が非係合位置側へ動かないようにすることができる。
【０２０５】
以下、特許請求の範囲の請求項に記載されないものであって、上記実施形態から把握できる技術的思想について、その効果とともに記載する。
【０２０６】
手段Ａ１．支持部材（パチンコ機の外枠やスロットマシンの筐体等の固定枠など）に対し開閉可能に支持された扉体と、
前記支持部材又は前記扉体のいずれか一方に取付けられ、前記支持部材に対し前記扉体を施錠する施錠装置とを備えた遊技機であって、
前記施錠装置は、
鍵により操作される錠部材と、
前記錠部材の動作に連動して摺動可能に設けられた摺動部材と、
前記支持部材又は前記扉体の他方側に設けられた被係合部に対し（前記扉体の開閉方向に）係合されて前記扉体の開放を規制する係合位置と、前記被係合部から離脱して前記扉体の開放を許容する非係合位置とに変位可能に設けられた鉤部材と、
少なくとも前記扉体の閉状態（施錠状態）において前記鉤部材の変位を規制可能な規制状態と、前記鉤部材の変位を許容する規制解除状態とに状態変化可能に設けられた規制部材（ロック部材）とを備え、
前記錠部材の動作に連動して前記摺動部材が摺動し、該摺動部材の動作に連動して前記規制部材が前記規制状態から前記規制解除状態へ状態変化することにより、前記鉤部材の前記非係合位置側（解錠方向）への変位が許容される構成としたことを特徴とする遊技機。
【０２０７】
上記手段Ａ１によれば、規制部材を備えることにより、扉体の施錠時において、鍵を用いずに線材等によって、摺動部材を介さず鉤部材に対し直接外力をかけられた場合、すなわち不正な解錠操作が行われた場合には、鉤部材の解錠方向への変位が規制される。つまり、鉤部材は係合位置に維持されるため、扉体の開放は許容されない。結果として、線材等を用いた不正解錠に対する防御性能の向上を図ることができる。
【０２０８】
一方、鍵を用いて正規に解錠操作を行った場合には、摺動部材から作用を受けることにより、規制部材が規制状態から規制解除状態へ状態変化し、鉤部材が非係合位置へ変位可能となる。つまり、鉤部材が被係合部から離脱し、扉体の開放が許容される。
【０２０９】
尚、以下の手段においても同様であるが、鉤部材及びこれに対応する被係合部の数は１つに限定されるものではなく、これらを複数備えた構成としてもよい（規制部材等に関しても同様）。この場合、複数の鉤部材それぞれに対応して規制部材が設けられることが好ましい。このようにすれば、不正解錠に対する防御性能のさらなる向上が図られる。但し、少なくとも１つに設けられていれば、不正解錠に対する防御性能を十分に発揮することはできる。
【０２１０】
また、錠部材の例としては、鍵が挿入されて回動操作されるシリンダ錠などが挙げられる。この場合、鍵により操作される作動部は、回動可能に設けられた錠軸や、該錠軸に固定された係合片（カム板）等から構成されることとなる。勿論、錠部材はシリンダ錠に限定されるものではなく、他の錠部材を採用してもよい。
【０２１１】
また、規制部材が「摺動部材の動作に連動して」状態変化する構成には、摺動部材と規制部材とが一体形成されたり、摺動部材に対しネジ等の固定手段により相対変位不能に固定されたりして、両者が一体的に動く構成なども含まれる。従って、規制部材は、摺動部材と一体形成された構成や摺動部材に対し相対変位不能に固定された構成であってもよいし、摺動部材と相対変位可能に設けられた構成でもよい。
【０２１２】
また、鉤部材の「扉体の開放を規制する係合位置」とは、閉状態にある扉体を開閉方向に動かした場合に、被係合部と接触して扉体を開放不能な位置を指す。また、鉤部材の「扉体の開放を許容する非係合位置」とは、閉状態にある扉体を開閉方向に動かした場合に、被係合部と接触しない位置又は接触しつつも扉体を開放可能な位置を指す。
【０２１３】
手段Ａ２．支持部材（パチンコ機の外枠やスロットマシンの筐体等の固定枠など）に対し左右一側部にて開閉可能に支持された扉体と、
前記支持部材又は前記扉体のいずれか一方の左右他側部に沿って取付けられ、前記支持部材に対し前記扉体を施錠する施錠装置とを備えた遊技機であって、
前記施錠装置は、
前記支持部材又は前記扉体いずれか一方の左右他側部に沿って取付けられる取付部、及び、該取付部から突設された支持部を具備する縦長の基枠と、
鍵により操作される錠部材と、
前記鍵の操作に応じた前記錠部材の動作に連動して上下方向に摺動可能なように前記支持部に沿って設けられた摺動部材と、
前記支持部材又は前記扉体の他方側に設けられた被係合部に対し（前記扉体の開閉方向に）係合されて前記扉体の開放を規制する係合位置と、前記被係合部から離脱して前記扉体の開放を許容する非係合位置とに変位可能に設けられた鉤部材と、
前記鉤部材を前記係合位置側へ付勢可能な付勢手段と、
少なくとも前記扉体の閉状態において前記鉤部材の変位を規制可能な規制状態と、前記鉤部材の変位を許容する規制解除状態とに状態変化可能に設けられた規制部材（ロック部材）と、
前記規制部材を前記規制状態に維持可能な維持手段とを備え、
前記鍵による特定の操作に応じた前記錠部材の動作に連動して前記摺動部材が摺動し、該摺動部材の動作に連動して、前記規制部材が前記規制状態から前記規制解除状態へ状態変化することにより、前記鉤部材の非係合位置側（解錠方向）への変位が許容される構成としたことを特徴とする遊技機。
【０２１４】
上記手段Ａ２によれば、上記手段Ａ１と同様の作用効果が奏される。尚、上記「左右一側部」とは、左右方向における一方側を指し、「左右一側部」が例えば「右側部」であれば、「左右他側部」は「左側部」となる。逆に、「左右一側部」が「左側部」であれば、「左右他側部」は「右側部」となる。
【０２１５】
また、付勢手段が「鉤部材を前記係合位置側へ付勢可能」な構成には、例えば鉤部材を直接的に付勢する構成や、摺動部材や規制部材等を介して間接的に付勢する構成等が含まれる。同様に、維持手段が「規制部材を前記規制状態に維持可能」な構成には、例えば規制部材を直接的に維持する構成や、摺動部材等を介して間接的に維持する構成等が含まれる。
【０２１６】
ここで、付勢手段及び維持手段を単一の付勢部材（例えばコイルばね等の弾性部材）により具現化することにより、部品点数の増加を抑制するとともに、構成の簡素化を図ることができる。
【０２１７】
手段Ａ３．少なくとも前記扉体の開状態とする場合において、前記摺動部材の動作に連動して動く前記規制部材に従動して前記鉤部材が前記非係合位置側へ変位動作可能に構成されていることを特徴とする手段Ａ１又はＡ２に記載の遊技機。
【０２１８】
ここでいう「従動」とは、規制部材のように摺動部材から作用（動力伝達）を直接受けることなく、規制部材からの作用を受けることにより、又は該規制部材から作用を受けた部材（例えば軸ピン）を介して作用を受けることにより同方向へ動作することを意味している。
【０２１９】
仮に規制部材及び鉤部材がそれぞれ個別に摺動部材の動作に連動して動くように構成されている場合には、これらの組付け誤差等により規制部材及び鉤部材に動作ズレ等が発生するおそれがある。かかる動作ズレ等が発生した場合には、例えば規制部材による規制状態が適正に解除されないまま、鉤部材が非係合位置側へ変位しようとするなど、扉体の施錠状態を適正に解除できないおそれがある。
【０２２０】
これに対し、上記手段Ａ３によれば、規制部材及び鉤部材が段階的に動作し、各部材に上記のような動作ズレ等が発生しにくくなる。
【０２２１】
手段Ａ４．前記規制部材は、前記扉体の閉状態において、前記支持部材又は前記扉体の他方側に設けられた所定部位（例えば鉤部材が係合される被係合部）に対し係合されて前記規制状態となることを特徴とする手段Ａ１乃至Ａ３のいずれかに記載の遊技機。
【０２２２】
例えば規制部材が鉤部材に対し直接係合して該鉤部材を変位不能とする構成とした場合には、鍵を用いずに扉体を閉じようとした場合、鉤部材と被係合部とが衝突し、該鉤部材や被係合部の変形や破損等といった不具合が発生するおそれがある。
【０２２３】
この点、本手段によれば、開状態にある扉体を支持部材に対し閉鎖する際における上記不具合は発生しない。また、前記「所定部位」が例えば「前記鉤部材が係合される前記被係合部」であれば、部品点数の増加を抑制するとともに、構成の簡素化を図ることができる。
【０２２４】
手段Ａ５．前記規制部材は、前記鉤部材に対し相対変位可能に組付けられていることを特徴とする手段Ａ１乃至Ａ４のいずれかに記載の遊技機。
【０２２５】
上記手段Ａ５によれば、規制部材が鉤部材に対し相対変位可能に組付けられることにより、規制部材がより確実に鉤部材に連動して動き、鉤部材の変位をより確実に規制することができる。結果として、不正解錠に対する防御性能がさらに向上する。
【０２２６】
また、規制部材と鉤部材とをより密着させて配設することができるため、線材等が進入するような隙間が形成されにくくなり、線材等を用いた不正解錠に対する防御性能をさらに高めることができる。
【０２２７】
手段Ａ６．前記鉤部材は、前記施錠装置の所定位置（例えば基枠の支持部）に対し回動変位可能に軸支され、
前記規制部材は、前記鉤部材に対し該鉤部材の回動軸心とは異なる位置（前記所定位置とは異なる位置）において回動可能に組付けられていることを特徴とする手段Ａ１乃至Ａ５のいずれかに記載の遊技機。
【０２２８】
上記手段Ａ６によれば、鉤部材及び規制部材の一体回動変位動作と、鉤部材及び規制部材の相対回動変位動作といった異種の動作態様、つまり規制部材の規制解除動作や鉤部材の解錠動作といった異種の動作態様を１つの摺動部材の一方向への動作により連続的かつ多段階的に行うことが可能となる。結果として、規制部材の規制解除動作や鉤部材の解錠動作を円滑に行うことができる。
【０２２９】
例えば鍵を用いて正規の解錠操作を行った場合には、摺動部材から力を受けることにより、規制部材が鉤部材に対し相対回動変位して規制解除状態となり、その後、鉤部材及び規制部材が一体回動変位して、鉤部材が非係合位置側へ変位することとなる。
【０２３０】
一方、鍵を用いずに線材等によって鉤部材に対し直接の解錠操作、すなわち不正な解錠操作が行われた場合には、規制部材が鉤部材に対し相対回動変位することなく、規制状態のまま、鉤部材及び規制部材が一体回動変位するため、鉤部材の解錠方向への変位が規制されることとなる。
【０２３１】
手段Ａ７．前記鍵を用いずに、開状態にある前記扉体を前記支持部材に対し閉鎖する際に、前記鉤部材が前記被係合部に接触して、該鉤部材が前記非係合位置側へ変位動作可能に構成されると共に、
該鉤部材に従動して（例えば鉤部材に押されて）前記規制部材が動作可能に構成されていることを特徴とする手段Ａ１乃至Ａ６のいずれかに記載の遊技機。
【０２３２】
ここでいう「従動」とは、被係合部から作用を直接受けることなく、鉤部材からの作用を受けることにより、又は該鉤部材から作用を受けた部材を介して作用を受けることにより同方向へ動作することを意味している。
【０２３３】
上記手段Ａ７によれば、扉体を閉じることにより、自動的に鉤部材及び規制部材の状態が変化するため、規制部材が邪魔になることなく、スムーズに扉体を閉めることができる。従って、扉体を閉じる際に、何らか特殊な操作を行う必要もなく、利便性の向上が図られる。
【０２３４】
例えば、鉤部材の先端が略三角形状に先細りしており、扉体を閉じていくと、先ず鉤部材の傾斜部位が被係合部に接する。さらに扉体を閉じていくことで、コイルばね等の付勢手段の付勢力に抗して鉤部材が解錠方向へ変位すると共に、該鉤部材に従動して規制部材が変位する。そして、鉤部材及び規制部材が被係合部を乗り越えると、鉤部材及び規制部材は付勢手段の付勢力により元の位置に戻り、扉体が施錠状態となる。
【０２３５】
手段Ａ８．前記規制部材に対応して前記鉤部材にガード部を設けたことを特徴とする手段Ａ１乃至Ａ７のいずれかに記載の遊技機。
【０２３６】
上記手段Ａ８によれば、ガード部を設けることで、規制部材に対し線材等を引っ掛けにくくなる。結果として、線材等を用いた不正解錠に対する防御性能をさらに高めることができる。
【０２３７】
手段Ａ９．前記支持部材又は前記扉体の他方側において、少なくとも前記規制部材の一部（例えば摺動部材との係合箇所や被係合部との係合箇所など）を被覆可能な被覆部材を備え、
前記扉体の閉状態において、前記規制部材が少なくとも前記被覆部材と前記鉤部材との間に配設された状態となることを特徴とする手段Ａ１乃至Ａ８のいずれかに記載の遊技機。
【０２３８】
上記手段Ａ９によれば、規制部材の露出する部位が減る。従って、規制部材に線材等を引っ掛けたり、金属片等を押し当てたりすることのできる部位の露出度も減り、上述したような不正解錠操作が行いにくくなる。結果として、さらなる防御性能の向上を図ることができる。
【０２３９】
また、被覆部材が施錠装置の基枠内に挿し込まれた状態となることがより好ましい。これにより、より近い位置で規制部材を被覆することが可能となり、上記作用効果をさらに高めることができる。
【０２４０】
手段Ａ１０．前記被覆部材と前記被係合部を一体形成したことを特徴とする手段Ａ９に記載の遊技機。
【０２４１】
上記手段Ａ１０によれば、被覆部材と被係合部の間に線材等を進入させる隙間等が生じないため、不正解錠に対する防御性能のさらなる向上を図ると共に、部品点数の削減を図ることができる。
【０２４２】
手段Ａ１１．前記錠部材に鍵の挿入がない場合には、該錠部材の作動部が所定量以上変位不能となり、該作動部により前記摺動部材の所定量以上の変位が規制されることを特徴とする手段Ａ１乃至Ａ１０のいずれかに記載の遊技機。
【０２４３】
上記手段Ａ１１によれば、摺動部材を介して規制部材や鉤部材を不正解錠操作することができなくなるため、線材等を用いた不正解錠に対する防御性能の向上を図ることができる。例えばシリンダ錠に鍵が挿し込まれないと、シリンダ錠のロック状態が解除されず、シリンダ錠のカム板等に係合した摺動部材が所定量以上変位不能な状態に維持される構成などが一例に挙げられる。
【０２４４】
手段Ａ１２．前記規制部材は、前記被係合部に対し（前記扉体の開閉方向に）係合されて前記扉体の開放を規制する係合位置と、前記被係合部から離脱して前記扉体の開放を許容する非係合位置とに変位可能に設けられていることを特徴とする手段Ａ１乃至Ａ１１のいずれかに記載の遊技機。
【０２４５】
上記手段Ａ１２によれば、規制部材に鉤部材と同様の機能を持たせることができ、扉体の施錠状態のさらなる安定化を図ることができる。
【０２４６】
一般的に、前後方向に係り合う鉤部材と被係合部との間、ひいては扉体と支持部材との間には、ある程度の遊び部分を設けざるを得ない。遊びがない場合には、扉体の施錠又は解錠の際に鉤部材と被係合部とが擦れ、鉤部材が変位しにくくなるため、施錠又は解錠をスムーズに行えないおそれがある。被係合部の組付誤差等、場合によっては、扉体を施錠できなくなることも想定される。
【０２４７】
このように、鉤部材と被係合部との間に遊びを設定してある場合には、鉤部材と被係合部とが係合し、扉体が適正に施錠されている場合でも、扉体と支持部材との組付誤差等によっては、規制部材が正常に機能しないおそれがある。さらには、例えば規制部材が支持部材側の被係合部に対し扉体側（前面側）から係合する構成の下では、扉体を無理やり前方に引っ張ることにより、規制部材の係合が簡単に解除されてしまうおそれもある。その結果、鉤部材の不正な解錠操作により簡単に扉体が開放されてしまうおそれがある。
【０２４８】
この点、上記手段Ａ１２によれば、扉体を無理やり引っ張る等した場合でも、規制部材と被係合部との係合が簡単に解除されにくくなる。
【０２４９】
手段Ｂ１．支持部材（パチンコ機の外枠やスロットマシンの筐体等の固定枠など）に対し開閉可能に支持された扉体と、
前記支持部材又は前記扉体のいずれか一方に取付けられ、前記支持部材に対し前記扉体を施錠する施錠装置とを備えた遊技機であって、
前記施錠装置は、
鍵により操作される錠部材と、
前記錠部材の動作に連動して摺動可能に設けられた摺動部材と、
前記支持部材又は前記扉体の他方側に設けられた被係合部に対し（前記扉体の開閉方向に）係合されて前記扉体の開放を規制する係合位置と、前記被係合部から離脱して前記扉体の開放を許容する非係合位置とに変位可能に設けられた第１鉤部材と、
前記被係合部に対し（前記扉体の開閉方向に）係合されて前記扉体の開放を規制する係合位置と、前記被係合部から離脱して前記扉体の開放を許容する非係合位置とに変位可能に設けられた第２鉤部材とを備えたことを特徴とする遊技機。
【０２５０】
上記手段Ｂ１によれば、１つの被係合部に対し２つの鉤部材（第１鉤部材及び第２鉤部材）が係合する構成となっているため、仮に扉体の施錠時において、鍵を用いずに線材等によって、摺動部材を介さず第１鉤部材又は第２鉤部材の一方に対し直接外力をかけられた場合、すなわち不正な解錠操作が行われた場合であっても、他方の鉤部材は係合位置に維持されるため、扉体の開放は許容されない。結果として、線材等を用いた不正解錠に対する防御性能の向上を図ることができる。
【０２５１】
尚、以下の手段においても同様であるが、第１鉤部材及び第２鉤部材並びにこれらに対応する被係合部の数は１つに限定されるものではなく、これらを複数備えた構成としてもよい。この場合、複数の第１鉤部材それぞれに対応して第２鉤部材が設けられることが好ましい。このようにすれば、不正解錠に対する防御性能のさらなる向上が図られる。但し、少なくとも１つの第１鉤部材に対応して第２鉤部材が設けられていれば、不正解錠に対する防御性能を十分に発揮することはできる。
【０２５２】
手段Ｂ２．支持部材（パチンコ機の外枠やスロットマシンの筐体等の固定枠など）に対し左右一側部にて開閉可能に支持された扉体と、
前記支持部材又は前記扉体のいずれか一方の左右他側部に沿って取付けられ、前記支持部材に対し前記扉体を施錠する施錠装置とを備えた遊技機であって、
前記施錠装置は、
前記支持部材又は前記扉体いずれか一方の左右他側部に沿って取付けられる取付部、及び、該取付部から突設された支持部を具備する縦長の基枠と、
鍵により操作される錠部材と、
前記鍵の操作に応じた前記錠部材の動作に連動して上下方向に摺動可能なように前記支持部に沿って設けられた摺動部材と、
前記支持部材又は前記扉体の他方側に設けられた被係合部に対し（前記扉体の開閉方向に）係合されて前記扉体の開放を規制する係合位置と、前記被係合部から離脱して前記扉体の開放を許容する非係合位置とに変位可能に設けられた第１鉤部材と、
前記第１鉤部材を前記係合位置側へ付勢可能な第１付勢手段と、
前記被係合部に対し（前記扉体の開閉方向に）係合されて前記扉体の開放を規制する係合位置と、前記被係合部から離脱して前記扉体の開放を許容する非係合位置とに変位可能に設けられた第２鉤部材と、
前記第２鉤部材を前記係合位置側へ付勢可能な第２付勢手段とを備えたことを特徴とする遊技機。
【０２５３】
上記手段Ｂ２によれば、上記手段Ｂ１と同様の作用効果が奏される。尚、上記「左右一側部」とは、左右方向における一方側を指し、「左右一側部」が例えば「右側部」であれば、「左右他側部」は「左側部」となる。逆に、「左右一側部」が「左側部」であれば、「左右他側部」は「右側部」となる。
【０２５４】
また、第１付勢手段が「第１鉤部材を前記係合位置側へ付勢可能」な構成には、例えば第１鉤部材を直接的に付勢する構成や、摺動部材や第２鉤部材等を介して間接的に付勢する構成等が含まれる。同様に、第２付勢手段が「第２鉤部材を前記係合位置側へ付勢可能」な構成には、例えば第２鉤部材を直接的に付勢する構成や、摺動部材や第１鉤部材等を介して間接的に付勢する構成等が含まれる。
【０２５５】
ここで、第１付勢手段及び第２付勢手段を単一の付勢部材（例えばコイルばね等の弾性部材）により具現化することにより、部品点数の増加を抑制するとともに、構成の簡素化を図ることができる。
【０２５６】
手段Ｂ３．前記第２鉤部材は、少なくとも前記扉体の閉状態（施錠状態）において前記第１鉤部材の変位を規制可能な規制状態と、前記第１鉤部材の変位を許容する規制解除状態とに状態変化可能に設けられ、
前記錠部材の動作に連動して前記摺動部材が摺動し、該摺動部材の動作に連動して、前記第２鉤部材が前記規制状態から前記規制解除状態へ状態変化することにより、前記第１鉤部材の前記非係合位置側（解錠方向）への変位が許容される構成としたことを特徴とする手段Ｂ１又はＢ２に記載の遊技機。
【０２５７】
上記手段Ｂ３によれば、扉体の施錠時において、鍵を用いずに線材等によって、摺動部材を介さず第１鉤部材に対し直接外力をかけられた場合、すなわち不正な解錠操作が行われた場合には、第１鉤部材の解錠方向への変位が規制される。つまり、第１鉤部材は係合位置に維持されるため、扉体の開放は許容されない。結果として、線材等を用いた不正解錠に対する防御性能の向上を図ることができる。
【０２５８】
一方、鍵を用いて正規に解錠操作を行った場合には、摺動部材から作用を受けることにより、第２鉤部材が規制状態から規制解除状態へ状態変化し、第１鉤部材が非係合位置へ変位可能となる。つまり、第１鉤部材が被係合部から離脱し、扉体の開放が許容される。
【０２５９】
尚、第２鉤部材が「摺動部材の動作に連動して」状態変化する構成には、摺動部材と第２鉤部材とが一体形成されたり、摺動部材に対しネジ等の固定手段により相対変位不能に固定されたりして、両者が一体的に動く構成なども含まれる。従って、第２鉤部材は、摺動部材と一体形成された構成や摺動部材に対し相対変位不能に固定された構成であってもよいし、摺動部材と相対変位可能に設けられた構成でもよい。
【０２６０】
手段Ｂ４．前記第２鉤部材は、前記扉体の閉状態において、前記被係合部に対し係合されて前記規制状態となることを特徴とする手段Ｂ３に記載の遊技機。
【０２６１】
例えば第２鉤部材が第１鉤部材に対し直接係合して該第１鉤部材を変位不能とする構成とした場合には、鍵を用いずに扉体を閉じようとした場合、第１鉤部材と被係合部とが衝突し、該第１鉤部材や被係合部の変形や破損等といった不具合が発生するおそれがある。
【０２６２】
この点、本手段によれば、開状態にある扉体を支持部材に対し閉鎖する際における上記不具合は発生しない。
【０２６３】
手段Ｂ５．少なくとも前記扉体の開状態とする場合において、前記摺動部材の動作に連動して前記非係合位置側へ変位する前記第２鉤部材に従動して前記第１鉤部材が前記非係合位置側へ変位動作可能に構成されていることを特徴とする手段Ｂ１乃至Ｂ４のいずれかに記載の遊技機。
【０２６４】
ここでいう「従動」とは、第２鉤部材のように摺動部材から作用（動力伝達）を直接受けることなく、第２鉤部材からの作用を受けることにより、又は該第２鉤部材から作用を受けた部材（例えば軸ピン）を介して作用を受けることにより同方向へ動作することを意味している。
【０２６５】
仮に第１鉤部材及び第２鉤部材がそれぞれ個別に摺動部材の動作に連動して動くように構成されている場合には、これらの組付け誤差等により第１鉤部材及び第２鉤部材に動作ズレ等が発生するおそれがある。かかる動作ズレ等が発生した場合には、例えば第２鉤部材による規制状態が適正に解除されないまま、第１鉤部材が非係合位置側へ変位しようとするなど、扉体の施錠状態を適正に解除できないおそれがある。
【０２６６】
これに対し、上記手段Ｂ５によれば、第１鉤部材及び第２鉤部材が段階的に動作し、各部材に上記のような動作ズレ等が発生しにくくなる。
【０２６７】
手段Ｂ６．前記第２鉤部材は、前記第１鉤部材に対し相対変位可能に組付けられていることを特徴とする手段Ｂ１乃至Ｂ５のいずれかに記載の遊技機。
【０２６８】
上記手段Ｂ６によれば、第１鉤部材と第２鉤部材とをより密着させて配設することができるため、線材等が進入するような隙間が形成されにくくなり、線材等を用いた不正解錠に対する防御性能をさらに高めることができる。
【０２６９】
手段Ｂ７．前記第１鉤部材は、前記施錠装置の所定位置（例えば基枠の支持部）に対し回動変位可能に軸支され、
前記第２鉤部材は、前記第１鉤部材に対し該第１鉤部材の回動軸心とは異なる位置（前記所定位置とは異なる位置）において回動可能に組付けられていることを特徴とする手段Ｂ１乃至Ｂ６のいずれかに記載の遊技機。
【０２７０】
上記手段Ｂ７によれば、第１鉤部材及び第２鉤部材の一体回動変位動作と、第１鉤部材及び第２鉤部材の相対回動変位動作といった異種の動作態様、例えば第２鉤部材の規制解除動作や第１鉤部材及び第２鉤部材の解錠動作といった異種の動作態様を１つの摺動部材の一方向への動作により連続的かつ多段階的に行うことが可能となる。結果として、第２鉤部材の規制解除動作や第１鉤部材及び第２鉤部材の解錠動作を円滑に行うことができる。
【０２７１】
例えば鍵を用いて正規の解錠操作を行った場合には、摺動部材から力を受けることにより、第２鉤部材が第１鉤部材に対し相対回動変位して規制解除状態となり、その後、第１鉤部材及び第２鉤部材が一体回動変位して、第１鉤部材及び第２鉤部材が非係合位置側へ変位することとなる。
【０２７２】
一方、鍵を用いずに線材等によって第１鉤部材に対し直接の解錠操作、すなわち不正な解錠操作が行われた場合には、第２鉤部材が第１鉤部材に対し相対回動変位することなく、規制状態のまま、第１鉤部材及び第２鉤部材が一体回動変位するため、第１鉤部材及び第２鉤部材の解錠方向への変位が規制されることとなる。
【０２７３】
手段Ｂ８．前記第２鉤部材に対応して前記第１鉤部材にガード部を設けたことを特徴とする手段Ｂ１乃至Ｂ７のいずれかに記載の遊技機。
【０２７４】
上記手段Ｂ８によれば、ガード部を設けることで、第２鉤部材に対し線材等を引っ掛けにくくなる。結果として、線材等を用いた不正解錠に対する防御性能をさらに高めることができる。
【０２７５】
手段Ｂ９．前記支持部材又は前記扉体の他方側において、少なくとも前記第２鉤部材の一部（例えば摺動部材との係合箇所や被係合部との係合箇所など）を被覆可能な被覆部材を備え、
前記扉体の閉状態において、前記第２鉤部材が少なくとも前記被覆部材と前記第１鉤部材との間に配設された状態となることを特徴とする手段Ｂ１乃至Ｂ８のいずれかに記載の遊技機。
【０２７６】
上記手段Ｂ９によれば、第２鉤部材の露出する部位が減る。従って、第２鉤部材に線材等を引っ掛けたり、金属片等を押し当てたりすることのできる部位の露出度も減り、上述したような不正解錠操作が行いにくくなる。結果として、さらなる防御性能の向上を図ることができる。
【０２７７】
また、被覆部材が施錠装置の基枠内に挿し込まれた状態となることがより好ましい。これにより、より近い位置で第２鉤部材を被覆することが可能となり、上記作用効果をさらに高めることができる。
【０２７８】
手段Ｂ１０．前記被覆部材と前記被係合部を一体形成したことを特徴とする手段Ｂ９に記載の遊技機。
【０２７９】
上記手段Ｂ１０によれば、被覆部材と被係合部の間に線材等を進入させる隙間等が生じないため、不正解錠に対する防御性能のさらなる向上を図ると共に、部品点数の削減を図ることができる。
【０２８０】
手段Ｂ１１．前記錠部材に鍵の挿入がない場合には、該錠部材の作動部が所定量以上変位不能となり、該作動部により前記摺動部材の所定量以上の変位が規制されることを特徴とする手段Ｂ１乃至Ｂ１０のいずれかに記載の遊技機。
【０２８１】
上記手段Ｂ１１によれば、摺動部材を介して第１鉤部材や第２鉤部材を不正解錠操作することができなくなるため、線材等を用いた不正解錠に対する防御性能の向上を図ることができる。例えばシリンダ錠に鍵が挿し込まれないと、シリンダ錠のロック状態が解除されず、シリンダ錠のカム板等に係合した摺動部材が所定量以上変位不能な状態に維持される構成などが一例に挙げられる。
【０２８２】
手段Ｂ１２．前記鍵を用いずに、開状態にある前記扉体を前記支持部材に対し閉鎖する際に、前記第１鉤部材が前記被係合部に接触して、該第１鉤部材が前記非係合位置側へ変位動作可能に構成されると共に、
該第１鉤部材に従動して（例えば第１鉤部材に押されて）前記第２鉤部材が動作可能に構成されていることを特徴とする手段Ｂ１乃至Ｂ１１のいずれかに記載の遊技機。
【０２８３】
ここでいう「従動」とは、被係合部から作用を直接受けることなく、第１鉤部材からの作用を受けることにより、又は該第１鉤部材から作用を受けた部材を介して作用を受けることにより同方向へ動作することを意味している。
【０２８４】
上記手段Ｂ１２によれば、扉体を閉じることにより、自動的に第１鉤部材及び第２鉤部材の状態が変化するため、スムーズに扉体を閉めることができる。従って、扉体を閉じる際に、何らか特殊な操作を行う必要もなく、利便性の向上が図られる。
【０２８５】
例えば、第１鉤部材の先端が略三角形状に先細りしており、扉体を閉じていくと、先ず第１鉤部材の傾斜部位が被係合部に接する。さらに扉体を閉じていくことで、コイルばね等の付勢手段の付勢力に抗して第１鉤部材が解錠方向へ変位すると共に、該第１鉤部材に従動して第２鉤部材が変位する。そして、第１鉤部材及び第２鉤部材が被係合部を乗り越えると、第１鉤部材及び第２鉤部材は付勢手段の付勢力により元の位置に戻り、扉体が施錠状態となる。
【０２８６】
以下に、上記各手段が適用される各種遊技機の基本構成を示す。
【０２８７】
（イ）．上記各手段における前記遊技機は弾球遊技機であること。より詳しい態様例としては、「遊技者が操作する操作手段（遊技球発射ハンドル）と、該操作手段の操作に基づいて遊技球を弾いて発射する発射手段（発射モータ等）と、該発射された遊技球が案内される遊技領域と、前記遊技領域内に配置された各入球手段（一般入賞口、可変入賞装置、作動口等）とを備えた弾球遊技機」が挙げられる。
【０２８８】
（ロ）．上記各手段における前記遊技機は略鉛直方向に延びる遊技領域を備えた弾球遊技機であること。より詳しい態様例としては、「遊技者が操作する操作手段（遊技球発射ハンドル）と、該操作手段の操作に基づいて遊技球を弾いて発射する発射手段（発射モータ等）と、該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２８９】
（ハ）．上記各手段における前記遊技機、又は、上記各弾球遊技機は、パチンコ機又はパチンコ機に準ずる遊技機であること。
【０２９０】
（ニ）．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０２９１】
（ホ）．上記各手段における遊技機は、スロットマシンとパチンコ機とを融合した形式の遊技機（特に遊技球を遊技媒体として使用するスロットマシン仕様の遊技機〔球使用式（回胴式）遊技機〕）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２９２】
１０…スロットマシン、１１…筐体、１２…前面扉、６００…施錠装置、６０１…基枠、６１０…第１摺動杆、６１１，６１２…主鉤部材、６１３，６１４…副鉤部材、７００…シリンダ錠、７２０…カム板、８００…受け金具、８０１…板部、８０３，８０４…鉤受部、８０３ａ，８０４ａ…係合孔、Ｃ１〜Ｃ４…コイルばね。
【図１】
2018064788.tif 000003
【図２】
2018064788.tif 000004
【図３】
2018064788.tif 000005
【図４】
2018064788.tif 000006
【図５】
2018064788.tif 000007
【図６】
2018064788.tif 000008
【図７】
2018064788.tif 000009
【図８】
2018064788.tif 000010
【図９】
2018064788.tif 000011
【図１０】
2018064788.tif 000012
【図１１】
2018064788.tif 000013
【図１２】
2018064788.tif 000014
【図１３】
2018064788.tif 000015
【図１４】
2018064788.tif 000016
【図１５】
2018064788.tif 000017
【図１６】
2018064788.tif 000018
【図１７】
2018064788.tif 000019
【図１８】
2018064788.tif 000020
【図１９】
2018064788.tif 000021
【図２０】
2018064788.tif 000022
【図２１】
2018064788.tif 000023
【図２２】
2018064788.tif 000024
【図２３】
2018064788.tif 000025
【図２４】
2018064788.tif 000026
【図２５】
2018064788.tif 000027
【図２６】
2018064788.tif 000028